(57)【要約】      （修正有）【課題】中途計画または無計画の無線アクセス・ネットワークにおける基地局（ＢＳ）捕捉を行う。【解決手段】プリアンブルが信号の異なるサイクルにわたって異なる資源に組み込まれるように、信号プリアンブルは動的に無線信号資源に割付けられる。動的割付は、衝突フィードバックに基づいて、擬似無作為であり、或いは支配的な干渉から衝突を緩和するために適切なアルゴリズムによって決定される。その上、動的組み込みは、異種形式のＢＳからの衝突を著しく低減させるために、ＢＳの形式に独特なものとなり得る。少なくとも一つの形態において、プリアンブル資源は多数の周波数副搬送波タイルに細分化される。制御チャネル情報はそのようなタイル・グループの各タイルに伝送され、さらにタイル・グループの部分集合への支配的干渉体の影響を緩和する。【選択図】図２
2014075806.tif 000002
【特許請求の範囲】
【請求項１】
無線信号の信号資源のセットを確立すること、及び
前記無線信号の信号資源の前記セット上で捕捉パイロットをスケジュールする際に、部分的な資源再使用を採用すること、
を含む無線アクセス・ネットワーク（ＡＮ）において基地局（ＢＳ）検出を可能にする方法。
【請求項２】
前記無線信号を伝送するＢＳとして異種のアクセス形式のＢＳ、
前記伝送するＢＳとして異種の伝送電力クラスのＢＳもしくは、
前記伝送するＢＳとして異なる再使用形式のＢＳの少なくとも一つについて前記無線信号の少なくとも一つの資源をリザーブすること、
をさらに含む請求項１記載の方法。
【請求項３】
部分的な資源再使用を採用することは、さらに信号資源の前記セットの部分的な時間、周波数またはタイル再使用を含み、タイルは、前記無線信号のＯＦＤＭシンボル、時間フレーム、周波数副搬送波またはコード準拠資源のサブセットにわたる直交周波数分割多重化（ＯＦＤＭ）副搬送波のサブセットである請求項１記載の方法。
【請求項４】
部分的な資源再使用を採用することはさらに計画された再使用、ランダム再使用、擬似ランダム再使用、時間変動による再使用、または学習による再使用、またはそれらの組合せを含む請求項１記載の方法。
【請求項５】
前記捕捉パイロットを伝送しているＢＳが中間または低電力ＢＳであるならば、前記無線信号の時間サイクルの二以上の資源において前記捕捉パイロットを伝送することをさらに含む請求項１記載の方法。
【請求項６】
前記無線信号の少なくとも一つの資源のために、時間−周波数タイルのセットを確立すること、ここで前記セットの各タイルは前記無線信号のＯＦＤＭシンボル、時間フレーム、周波数副搬送波またはコード準拠資源のサブセットにわたる１以上の周波数副搬送波を含む、及び
前記無線信号の制御チャネル情報をスケジュールする際に部分的なタイル再使用を前記副搬送波のサブセットに採用すること、
を含む請求項１記載の方法。
【請求項７】
制御チャネル情報を前記無線信号の共通インターレースのグループ化された時間サブスロットへとスケジュールすることをさらに含む請求項１記載の方法。
【請求項８】
前記無線信号を伝送するＢＳが全再使用ＢＳであるならば、前記無線信号の少なくとも一つの資源における前記捕捉パイロットの伝送を制限することをさらに含む請求項１記載の方法。
【請求項９】
無線信号を伝送する無線送受信器、及び
前記無線信号の信号資源のセットを確立し、且つ信号資源の前記セットを介して捕捉パイロットを送る際に部分的な資源再使用を採用する信号パーサ、
を含む無線ＡＮにおけるＢＳ検出を容易にする無線ＢＳ。
【請求項１０】
前記信号パーサは、
前記無線信号を伝送するＢＳとして異種のアクセス形式のＢＳ、
前記伝送するＢＳとして異種の伝送電力クラスのＢＳもしくは、
前記伝送するＢＳとして異なる再使用形式のＢＳ、
の少なくとも一つについて、前記無線信号の少なくとも一つの資源をリザーブする請求項９記載の無線ＢＳ。
【請求項１１】
前記信号パーサは前記無線信号を、時間資源のセット、周波数資源のセット、またはＯＦＤＭシンボル資源のセット、またはそのような資源の組合せにセグメント化し、そして前記捕捉パイロットを伝送する際に部分的な資源再使用を採用する請求項９記載の無線ＢＳ。
【請求項１２】
前記信号パーサは、前記資源再使用として、計画された再使用、ランダム再使用、擬似ランダム再使用、時間変動による再使用、または学習による再使用、またはそれらの組合せを採用する請求項９記載の無線ＢＳ。
【請求項１３】
前記無線信号を生成するＢＳが中間または低電力ＢＳであるならば、前記信号パーサは前記捕捉パイロットを前記無線信号の時間サイクルの二以上の資源において伝送する請求項９記載の無線ＢＳ。
【請求項１４】
前記無線信号の少なくとも一つの資源について周波数タイルのセットを確立するタイリングモジュールと、ここで前記セットの各タイルは前記無線信号の一以上のＯＦＤＭシンボルにわたって一以上の周波数副搬送波を含む、及び
前記無線信号の制御チャネル情報を副搬送波の部分集合にスケジュールする際に部分的なタイル再使用を採用する制御スケジュールモジュール、
を含む請求項９記載の無線ＢＳ。
【請求項１５】
制御情報の前記無線信号の共通インターレースの時間サブスロットをグループ化するタイミング分割モジュールをさらに含む請求項９記載の無線ＢＳ。
【請求項１６】
前記無線信号を伝送するＢＳが全再使用ＢＳであるならば、前記信号パーサは前記無線信号の少なくとも一つの資源における前記捕捉パイロットの伝送を制限する請求項９記載の無線ＢＳ。
【請求項１７】
無線信号の信号資源のセットを確立するための手段、及び
前記無線信号の信号資源の前記セット上で捕捉パイロットをスケジュールする際に部分的な資源再使用を採用するための手段、
を具備する無線ＡＮにおけるＢＳ検出を可能にするための装置。
【請求項１８】
無線信号の信号資源のセットを確立する第一モジュール、及び
前記無線信号の信号資源の前記セット上で捕捉パイロットをスケジュールする際に部分的な資源再使用を採用する第二モジュール、
を含む、無線ＡＮにおけるＢＳ検出を可能にするために構成されたプロセッサー。
【請求項１９】
無線信号の信号資源のセットを確立し、
前記無線信号の信号資源の前記セット上で捕捉パイロットをスケジュールする際に部分的な資源再使用を採用すること
を少なくとも一つのコンピューターによって実行可能にするコンピューター可読命令を含むコンピューター可読媒体。
【請求項２０】
無線信号の信号資源のセットを確立すること、及び
前記無線信号上で制御チャネル情報をスケジュールする際に、ランダム、擬似ランダムまたは学習による再使用を採用すること、
を含む無線ＡＮにおけるＢＳ検出を可能にする方法。
【請求項２１】
前記無線信号を伝送するＢＳとして異種のアクセス形式のＢＳ、
前記伝送するＢＳとして異種の伝送電力クラスのＢＳもしくは、
前記伝送するＢＳとして異なる再使用形式のＢＳ、の少なくとも一つについて、前記無線信号の少なくとも一つをリザーブすること、をさらに含む請求項２０記載の方法。
【請求項２２】
前記制御チャネル情報を含む信号資源に実質的に隣接する前記リザーブされた資源（１つまたは複数を含む）をスケジュールすることをさらに含む請求項２１記載の方法。
【請求項２３】
前記ランダム、擬似ランダムまたは学習による再使用は部分的な時間再使用、部分的な周波数再使用、またはその組合せを制御チャネルスケジューリングのために採用し、タイルは前記無線信号のＯＦＤＭシンボルのサブセットにわたる副搬送波のサブセットを含む請求項２０記載の方法。
【請求項２４】
前記ランダム、擬似ランダムまたは学習による再使用を促進するために、前記セットの少なくとも一つの資源を細分化することをさらに含む請求項２０記載の方法。
【請求項２５】
前記無線信号を伝送するＢＳが中間または低電力ＢＳであるならば、資源の複数の前記セットにおける制御チャネル情報をスケジュールすることをさらに含む請求項２０記載の方法。
【請求項２６】
捕捉パイロットを前記無線信号にスケジュールする際に部分的な時間または周波数再使用を採用することをさらに含む請求項２０記載の方法。
【請求項２７】
前記無線信号の少なくとも一つの資源について周波数タイルのセットを確立すること、なお前記セットの各タイルは複数の副搬送波を含む、及び
前記無線信号の前記制御チャネル情報を副搬送波の部分集合にスケジュールする際にタイル再使用を採用すること、
をさらに含む請求項２０記載の方法。
【請求項２８】
前記サブセットを形成するためタイルを前記セットから選択するためにランダム、擬似ランダムまたは時間変動機能を採用することをさらに含む請求項２７記載の方法。
【請求項２９】
前記制御チャネル情報について前記無線信号の共通インターレースの複数の時間資源をグループ化することをさらに含む請求項２０記載の方法。
【請求項３０】
前記グループ化された複数の時間資源の前に前記セットの時間資源における逆方向リンク（ＲＬ）割当情報をスケジュールすること、及び
前記グループ化された複数の時間資源の後に前記セットの時間資源においてＲＬ承認（ＡＣＫ）情報をスケジュールすること、
をさらに含む請求項２０記載の方法。
【請求項３１】
無線信号を伝送する無線送受信器、及び
前記無線信号について信号資源のセットを確立し、そして制御チャネル情報を前記無線信号にスケジュールする際にランダム、擬似ランダムまたは学習による再使用を採用する信号パーサ、
を含む無線ＡＮにおけるＢＳ検出を可能にする無線ＢＳ。
【請求項３２】
前記信号パーサは、
前記無線信号を伝送するＢＳとして異種のアクセス形式のＢＳ、
前記伝送するＢＳとして異種の伝送電力クラスのＢＳもしくは、
前記伝送するＢＳとして異なる再使用形式のＢＳ、の少なくとも一つについて前記無線信号の少なくとも一つの資源をリザーブする請求項３１記載の無線ＢＳ。
【請求項３３】
前記信号パーサは前記制御チャネル情報を含む信号資源に実質的に隣接するリザーブされた資源（１つまたは複数を含む）をスケジュールする請求項３１記載の無線ＢＳ。
【請求項３４】
前記無線信号の二以上の時間スロットを提供するタイミング分割モジュールをさらに含み、前記信号パーサは複数の前記時間スロットにおける前記制御チャネル情報をスケジュールする請求項３１記載の無線ＢＳ。
【請求項３５】
他の資源は、前記無線信号の少なくとも二つの時間スロットを含む請求項３１記載の無線ＢＳ。
【請求項３６】
前記信号パーサは前記無線信号を時間のセットまたは周波数資源のセットにセグメント化し、そして前記制御チャネル情報をスケジュールする際に時間または周波数再使用を採用する請求項３１記載の無線ＢＳ。
【請求項３７】
前記信号パーサは前記制御チャネル情報を、
信号資源の前記セットのサブセットの指定された部分帯域と、
前記サブセットのランダムまたは擬似ランダム部分帯域と、
前記サブセットの選択された資源と、前記選択された資源は、衝突フィードバックの少なくとも一部から決定された、隣接するＢＳからの低減された制御チャネル衝突を提供する、
へスケジュールする請求項３１記載の無線ＢＳ。
【請求項３８】
同期化信号を前記無線信号にスケジュールする際に時間または周波数再使用を採用する同期化モジュールをさらに含む請求項３１記載の無線ＢＳ。
【請求項３９】
前記無線信号の少なくとも一つの資源について周波数タイルのセットを確立するタイリングモジュール、前記セットの各タイルは、複数の副搬送波を含む、及び
前記無線信号の制御チャネル情報を前記副搬送波のサブセットにスケジュールする際にタイル再使用を採用する制御スケジュールモジュール、
をさらに含む請求項３１記載の無線ＢＳ。
【請求項４０】
前記制御チャネル情報について前記無線信号の共通インターレースにおいて前記セットの二つの資源をグループ化するタイミング分割モジュールをさらに含む請求項３１記載の無線ＢＳ。
【請求項４１】
信号パーサは、
前記グループ化された複数の時間資源の前に、前記セットの時間資源におけるＲＬ割当情報をスケジュールし、そして
前記グループ化された複数の時間資源の後に前記セットの時間資源におけるＲＬ ＡＣＫ情報をスケジュールする請求項３１記載の無線ＢＳ。
【請求項４２】
無線信号について信号資源のセットを確立するための手段、及び
制御チャネル情報を前記無線信号にスケジュールする際にランダム、擬似ランダムまたは学習による再使用を採用するための手段、
を具備する無線ＡＮにおけるＢＳ検出を可能にするための装置。
【請求項４３】
無線信号について信号資源のセットを確立する第一モジュール、及び
制御チャネル情報を前記無線信号にスケジュールする際にランダム、擬似ランダムまたは学習による再使用を採用する第二モジュール、
を含む無線ＡＮにおけるＢＳ検出を可能にするために構成されたプロセッサー。
【請求項４４】
無線信号について信号資源のセットを確立し、及び
制御チャネル情報を前記無線信号にスケジュールする際にランダム、擬似ランダムまたは学習による再使用を採用すること、
を少なくとも一つのコンピューターによって実行可能にするコンピューター可読命令を含むコンピューター可読媒体。
【請求項４５】
少なくとも第一及び第二の時間サイクルを含む無線信号を取得すること、及び
前記第一時間サイクルの一つの資源から、そして前記第二時間サイクルの異なる資源から捕捉パイロットを取得すること、或いは
前記無線信号から制御チャネル情報を取得するためにランダム、擬似ランダムまたは学習による再使用を採用すること、の少なくとも一つを含む無線ＢＳを検出する方法。
【請求項４６】
異なる資源とは区別できる前記第二時間サイクルの資源から第二捕捉パイロットを取得することをさらに含み、前記捕捉パイロットは前記第一時間サイクルにおける前記第二捕捉パイロットの有効な干渉体である請求項４５記載の方法。
【請求項４７】
前記第二捕捉パイロットから確認された基地局に接続することをさらに含む請求項４６記載の方法。
【請求項４８】
前記確認された基地局に接続することは、
前記確認された基地局への初期アクセスと、
ＵＥ開始のハンドオフを前記確認された基地局に対して実施すること、或いは
そのような基地局のＩＤをサービング基地局へ報告することによって、前記確認された基地局へのネットワーク開始のハンドオフを容易にすること、の少なくとも一つをさらに含む請求項４７記載の方法。
【請求項４９】
前記第二捕捉パイロットから確認された基地局と共に干渉回避を開始することをさらに含む請求項４６記載の方法。
【請求項５０】
干渉回避を開始することは、
前記確認された基地局に前記第二捕捉パイロットの信号特性を提供することと、
そのような基地局をサービング基地局と接続するバックホールリンク上で少なくとも一部前記確認された基地局へ干渉回避メッセージを送ることと、
前記確認された基地局へ前記干渉回避メッセージＯＴＡを送ること、或いは
前記確認された基地局を前記サービング基地局へ報告すること、の少なくとも一つを含む請求項４９記載の方法。
【請求項５１】
それぞれ、前記資源または前記異なる資源として前記第一または第二の時間サイクルの時間分割、周波数分割または符号分割、またはその組合せを採用することをさらに含む請求項４５記載の方法。
【請求項５２】
中間から低電力送信器と、
高電力送信器と、
一般アクセス（ＧＡ）送信器、或いは
制限アクセス（ＲＡ）送信器、
において起源する前記第一または第二の時間サイクルの少なくとも一つの追加の時間フレームから前記捕捉パイロットを取得することをさらに含む請求項４５記載の方法。
【請求項５３】
前記捕捉パイロットは前記少なくとも一つの追加の時間フレームの周波数部分帯域を走査することをさらに含む請求項５２記載の方法。
【請求項５４】
前記捕捉パイロットを取得することは、
前記捕捉パイロットを確認し、且つ前記少なくとも一つの追加の時間フレームの特定の周波数部分帯域と関連させること、及び
前記捕捉パイロットについて前記無線信号の次の時間サイクルの前記特定の周波数部分帯域を走査すること、
をさらに含む請求項５３記載の方法。
【請求項５５】
前記捕捉パイロットまたは制御チャネル情報を含む周波数部分帯域上の信号干渉を検出すること、及び
プリアンブル衝突が前記周波数部分帯域上で発生したことを示すＲＬ伝送を送ること、
をさらに含む請求項５３記載の方法。
【請求項５６】
前記周波数部分帯域上の一以上の衝突しているＢＳのＩＤを確認すること、及び
前記確認されたＢＳ ＩＤ（１つまたは複数）をＲＬ伝送に含めること、
をさらに含む請求項５５記載の方法。
【請求項５７】
前記捕捉パイロットを取得することはさらに前記少なくとも一つの追加の時間フレームの全ての周波数部分帯域を走査することを含む請求項５６記載の方法。
【請求項５８】
前記無線信号の少なくとも一つの資源を多数の周波数副搬送波タイルに構文解析することをさらに含む請求項４５記載の方法。
【請求項５９】
前記ランダムまたは擬似ランダム機能を採用することはさらに前記制御チャネル情報を搬送する二以上の前記周波数タイルを適合させることを含む請求項５８記載の方法。
【請求項６０】
制御チャネル情報を前記適合された周波数タイルから取出すことをさらに含む請求項５９記載の方法。
【請求項６１】
少なくとも第一及び第二の時間サイクルを含む無線信号を取得する無線アンテナと、
前記第一時間サイクルの一つの資源から、及び前記第二時間サイクルの異なる資源から捕捉パイロットを取得する、或いは
制御チャネル情報を前記無線信号から取得するためにランダム、擬似ランダムまたは学習による再使用機能を採用する、の少なくとも一つを行う受信プロセッサー、及び
前記受信プロセッサーに接続されたメモリー、
を具備する無線ＢＳの検出のために構成された装置。
【請求項６２】
前記受信プロセッサーは、
中間から低電力送信器、
高電力送信器、
ＧＡ送信器、或いは
ＲＡ送信器、
において起源する前記第一または第二の時間サイクルの少なくとも一つの追加の時間フレームから前記捕捉パイロットを取得する請求項６１記載の装置。
【請求項６３】
前記受信プロセッサーは前記捕捉パイロットを取得する際に前記少なくとも一つの追加の資源の全ての周波数部分帯域を走査する請求項６２記載の装置。
【請求項６４】
前記受信プロセッサーは前記捕捉パイロットを取得する際に前記少なくとも一つの追加の資源のネットワーク指定の周波数部分帯域を走査する請求項６２記載の装置。
【請求項６５】
前記無線信号の周波数部分帯域から前記捕捉パイロットまたは制御チャネル情報をもたらすＢＳのＩＤ情報を取出すＩＤモジュール、及び
前記もたらされているＢＳを前記周波数部分帯域と関連させるＢＳ再使用モジュール、
をさらに具備し、前記受信プロセッサーは前記無線信号の次の時間サイクルの周波数部分帯域から次の捕捉パイロットを取得する請求項６１記載の装置。
【請求項６６】
前記捕捉パイロットまたは制御チャネル情報を含む前記無線信号の周波数部分帯域上の信号干渉を検出する干渉モジュール、及び
プリアンブル衝突が前記周波数部分帯域上で発生したことを示すＲＬ伝送を開始する衝突報告モジュール、
をさらに具備する請求項６１記載の装置。
【請求項６７】
前記周波数部分帯域上で一以上の衝突しているＢＳのＩＤを確認し、且つ前記ＲＬ伝送に含めるために前記衝突報告モジュールにＩＤ（１つまたは複数）を提供するＩＤモジュールをさらに具備する請求項６６記載の装置。
【請求項６８】
前記無線信号の少なくとも一つの資源を多数の周波数副搬送波タイルに構文解析するタイリングモジュールをさらに具備する請求項６６記載の装置。
【請求項６９】
前記タイリングモジュールは制御チャネル情報を搬送する二以上の前記周波数タイルを適合させる請求項６８記載の装置。
【請求項７０】
前記受信プロセッサーは前記適合された周波数タイルから前記制御チャネル情報を取出す請求項６９記載の装置。
【請求項７１】
前記無線アンテナは前記異なる資源とは区別できる前記第二時間サイクルの資源から第二捕捉パイロットを取得し、前記捕捉パイロットは前記第一時間サイクルにおける前記第二捕捉パイロットの有効な干渉体である請求項６１記載の装置。
【請求項７２】
前記受信プロセッサーは前記第二捕捉パイロットから確認された基地局に接続する請求項７１記載の装置。
【請求項７３】
前記受信プロセッサーは前記確認された基地局に、
初期アクセスを前記確認された基地局に実施することと、
前記確認された基地局にＵＥ開始のハンドオフを実施すること、或いは
そのような基地局のＩＤをサービング基地局に報告することによって前記確認された基地局へのネットワーク開始のハンドオフを促進すること、の少なくとも一つによって接続する請求項７２記載の装置。
【請求項７４】
前記受信プロセッサーは前記第二捕捉パイロットから確認された基地局と共に干渉回避を開始する請求項７１記載の装置。
【請求項７５】
前記受信プロセッサーは、
前記確認された基地局に前記第二捕捉パイロットの信号特性を提供すること、
そのような基地局をサービング基地局と接続するバックホールネットワーク上で少なくとも一部前記確認された基地局に干渉回避メッセージを送ること、
前記確認された基地局に前記干渉回避メッセージＯＴＡを送ること、或いは
前記確認された基地局を報告する前記サービング基地局へのメッセージを送ること、の少なくとも一つのためにアンテナを採用することによって干渉回避を開始する請求項７４記載の装置。
【請求項７６】
前記一つの資源または前記異なる資源は、それぞれ、前記第一時間サイクルまたは第二時間サイクルの時間、周波数または符号分割、またはその組合せを含む請求項７１記載の装置。
【請求項７７】
少なくとも第一及び第二の時間サイクルを含む無線信号を取得するための手段、及び
前記第一時間サイクルの一つの時間フレームから、及び前記第二時間サイクルの異なる時間フレームから捕捉パイロットを取得するための手段、または
前記無線信号から制御チャネル情報を取得するためにランダム、擬似ランダムまたは学習による再使用機能を採用するための手段、の少なくとも一つを具備する無線ＢＳを検出するための装置。
【請求項７８】
少なくとも第一及び第二の時間サイクルを含む無線信号を取得する第一モジュール、及び
前記第一時間サイクルの一つの時間フレームから、及び前記第二時間サイクルの異なる時間フレームから捕捉パイロットを取得する、または前記無線信号から制御チャネル情報を取得するためにランダム、擬似ランダムまたは学習による再使用機能を採用する、の少なくとも一つを行う第二モジュール、
を具備する無線ＢＳを検出するために構成された装置。
【請求項７９】
少なくとも第一及び第二の時間サイクルを含む無線信号を取得するために、および
前記第一時間サイクルの一つの時間フレームから、及び前記第二時間サイクルの異なる時間フレームから捕捉パイロットを取得する、または
前記無線信号から制御チャネル情報を取得するためにランダム、擬似ランダムまたは学習による再使用機能を採用する、の少なくとも一つを行うために、
少なくとも一つのコンピューターによって実行可能にするコンピューター可読命令を含むコンピューター可読媒体。
【発明の詳細な説明】
【優先権の主張】
【０００１】
３５Ｕ．Ｓ．Ｃ§１１９における優先権主張
本特許出願は２００７年１１月１６日に出願され、ここでの譲請人に譲渡され、ここにおける参照により明示的に組み込まれる「フェムト・プリアンブル設計（FEMTO PREAMBLE DESIGN）」と題された米国仮出願番号第６０／９８８，７２０号に対する優先権を主張する。
【関連出願に対する相互参照】
【０００２】
参照同時係属特許出願
本特許出願は次の同時係属の米国特許出願に関係する。
【０００３】
代理人整理番号第０８０８２３号を持ち、これと共に同時に出願され、これに関して譲請人に譲渡され、且つこの中に引例により明確に含まれる、アーモド・カンデカー（Aamod Khandekar）氏他による「セクター間性能に基づくセクター干渉管理（SECTOR INTERFERENCE MANAGEMENT BASED ON INTERSECTOR PERFORMANCE）」；
代理人整理番号第０８０２７８Ｕ１号を持ち、これと共に同時に出願され、アーモド・カンデカー氏他による「無線信号のプリアンブル設計（PREAMBLE DESIGN FOR A WIRELESS SIGNAL）」；及び
代理人整理番号第０８０２７８Ｕ２号を持ち、これと共に同時に出願され、これに関して譲請人に譲渡され、且つこの中に引例により明確に含まれる、アーモド・カンデカー氏他による「無線信号のプリアンブル設計」；及び
代理人整理番号第０８０２７８Ｕ３号を持ち、これと共に同時に出願され、これに関して譲請人に譲渡され、且つこの中に引例により明確に含まれる、アーモド・カンデカー氏他による「無線信号のプリアンブル設計」；及び
代理人整理番号第０８０６９４号を持ち、これと共に同時に出願され、これに関して譲請人に譲渡され、且つこの中に引例により明確に含まれる、アーモド・カンデカー氏他による「干渉回避のためのバックホール信号通信（BACKHAUL SIGNALING FOR INTERFERENCE AVOIDANCE）」。
【技術分野】
【０００４】
下記は一般に無線通信に関係し、そして特に半分計画されたまたは計画されていない無線アクセス・ネットワークの干渉低減を促進する無線信号のプリアンブル設計に関係する。
【背景技術】
【０００５】
無線通信システムは、例えば、音声内容、データ内容等といった様々な形式の通信内容を提供するために広く展開される。典型的な無線通信システムは利用可能なシステム資源（例えば、帯域幅、伝送電力）を共有することによって多数のユーザーとの通信を支援することが可能な多元アクセス・システムであることができる。そのような多元アクセス・システムの例は符号分割多元アクセス（ＣＤＭＡ）システム、時分割多元アクセス（ＴＤＭＡ）システム、周波数分割多元アクセス（ＦＤＭＡ）システム、直交周波数分割多元アクセス（ＯＦＤＭＡ）システム等を含むことができる。
【０００６】
一般的に、無線多元アクセス通信システムは多数のモバイル・デバイスの通信を同時に支援することができる。各モバイル・デバイスは一以上の基地局と順方向リンク及び逆方向リンク上の伝送を介して通信することができる。順方向リンク（または下りリンク）は基地局からモバイル・デバイスへの通信リンクを云い、そして逆方向リンク（または上りリンク）はモバイル・デバイスから基地局への通信リンクを云う。さらに、モバイル・デバイスと基地局との間の通信は単一入力単一出力（ＳＩＳＯ）システム、多入力単一出力（ＭＩＳＯ）システム、多入力多出力（ＭＩＭＯ）システム等を介して確立されることができる。
【０００７】
無線メッセージは一般的に情報を搬送するために符号（コード）にしたがって時間、周波数等に細分化される。例えば、超モバイル広帯域（ultra mobile broadband：ＵＭＢ）システムでは、順方向リンクメッセージは一つのスーパーフレーム・プリアンブルといくつかの時間フレームにセグメント化された少なくとも一つの時間スーパーフレーム（例えば、２５ミリ秒長）を含む。プリアンブルは捕捉（acquisition）及び制御（control）情報を運び、一方、様々な他の時間フレームは、例えば音声呼出に関係する音声情報、データ呼出またはデータセッションに関係するデータ・パケット等といったトラヒックを運ぶ。捕捉情報はセクター内の伝送基地局を確認するために或るモバイル・ネットワーク・セクター内のモバイル端末によって利用されることができる。制御チャネル情報は受信信号を復号するための命令及び他の指示を提供する。
【０００８】
ＵＭＢでは、スーパーフレーム・プリアンブルは８個の直交周波数分割多重（ＯＦＤＭ）シンボルを含む。最初のシンボルは一般的に順方向一次ブロードキャスト制御チャネル（Ｆ−ＰＢＣＣＨ）を運び、そして次の四つのシンボルは順方向二次ブロードキャスト制御チャネル（Ｆ−ＳＢＣＣＨ）及び順方向迅速ページング・チャネル（Ｆ−ＱＰＣＨ）を運ぶことができる。Ｆ−ＰＢＣＣＨ及びＦ−ＳＢＣＣＨは一般的にＵＭＢシステムに入る端末によって必要とされる初期構成情報（initial configuration information）を提供する。例えば、Ｆ−ＰＢＣＣＨチャネルはセクターにわたって共通する配置−全体構成情報を運び、一方、Ｆ−ＳＢＣＣＨはセクター−特定構成情報を運ぶ。Ｆ−ＱＰＣＨはページが受取られるならばアイドルモード端末にページを読取り、且つ接続を開くように指示するために使用される迅速ページ（quick page）を運ぶことができる。
【０００９】
ＵＭＢプリアンブルの最後の３個のＯＦＤＭシンボルは捕捉パイロット情報を運ぶことができる。これらの３個のシンボルの最初のものは一般的にＵＭＢシステムの存在を判定し、且つ初期タイミング及び周波数を捕捉するために使用されるセクター非依存の信号を運ぶ。第二の、セクター依存の信号は伝送セクター及び／または基地局の同一性（identity）を決定するために利用されることができる。第三の信号は、同じくセクター依存であるが、そのシステムが同期的、もしくは非同期的であるかどうか、どのような時分割デュプレクス（time division duplex：ＴＤＤ）分割を使用すべきか、といった初期システム・パラメータ等を決定するために使用される情報を運ぶことができる。別の例では、例えば第三世代共同プロジェクト長期進化（３ＧＰＰ−ＬＴＥ）ネットワークに関して、捕捉パイロット情報はＵＭＢ例について上で指定されたものとは異なる信号を含むことができる。例えば、３ＧＰＰ−ＬＴＥシステムは一般的に捕捉パイロット信号として一次同期符号（ＰＳＣ）、二次同期符号（ＳＳＣ）、及びパケットブロードキャストチャネル（ＰＢＣＨ）を採用する。同期化信号は異なる形態（forms）（例えば、シーケンス長、スクランブリングシーケンス、変調及びタイミング等）を含むことができるが、同様の情報はこれらの信号によって搬送されることができる。このように、例えば、ＬＴＥ符号は伝送セクター／基地局の同一性、受信信号を復号するためのタイミング及び変調情報、デフォルトのシステム・パラメータ等々を運ぶことができる。ＬＴＥ符号は当技術分野において知られているように（例えば、時間に、及び周波数に局在する）ＬＴＥプリアンブルのＯＦＤＭシンボルの一部を利用して運ばれることができる。
【００１０】
前述ではＵＭＢ及びＬＴＥのプリアンブルを述べたが、様々な他のモバイル通信システムはまた信号通信、捕捉、制御もしくは同様な無線通信機能についてチャネル・プリアンブル、または同様の構造を利用する。他の機能はいくつかの無線システムについてトラヒック・チャネルの形式（フォーマット）を指定することを含むことができる。一般的に、プリアンブルは受信器におけるアプリケーション関連情報及び制御情報の区別を容易にするために無線信号のトラヒック関連の部分とは別に設定される。このように、受信器は、トラヒック部分自体を監視することを必要とせずに、信号が受信デバイスに関係するトラヒックを含むかどうかを確認するために制御部分を監視することができる。制御部分は一般的に全体信号の小さな部分にすぎないので、受信器デバイスは関連情報が信号に含まれるかどうかを決定するために信号プリアンブルを監視することによって処理要求及び電力消費を著しく低減させる可能性がある。従って無線信号通信のために制御チャネルを採用することは、モバイル・デバイスの電池寿命を延長することによる移動性の向上に加え、さらなる効率的な通信につながる。
【発明の概要】
【００１１】
下記はそのような形態の基本的理解を提供するために一以上の形態の簡単な要約を提示する。この要約は熟慮される全ての形態の広い概観ではなく、そして全ての形態の重要または重大な要素を確認することも、またいずれの形態または全ての形態の範囲の輪郭を描くことも意味するものではない。その唯一の目的は、後で提示されるさらに詳細な記述の前触れとして単純化された形状で一以上の形態のいくつかの概念を提示することである。
【００１２】
主題開示は無線アクセス・ネットワーク（ＡＮ）における半分計画されたまたは計画されていないアクセスポイント（ＡＰ）配置についてアクセスポイント（ＡＰ）（例えば、基地局［ＢＳ］）検出を可能にするために行う。主題開示の特定の形態によって、異種の無線ＡＮに関するＡＰ検出が提供される。ＡＰ検出はここに述べるようにプリアンブル再使用スケジューリング（re・use scheduling）を採用することによって促進されることができる。一以上の形態では、プリアンブル再使用スケジューリングは無線ＡＰが時間にわたって異なる信号資源（例えば、異なる時間スーパーフレーム）においてプリアンブルをスケジュールし、そして伝送するように動的であることができる。他の形態によれば、無線信号のセグメント（１つまたは複数含む）は異種形式のＡＰのプリアンブルに割付けられることができる。一つの事例では、異種形式は異種アクセス形式であることができる。このように、特定の例として、信号資源（例えば、時間スロット、周波数帯域／部分帯域、符号または符号群等々）は一般アクセス（ＧＡ）基地局（ＢＳ）のプリアンブルについて指定されることができ、そして別の信号資源は限定アクセス（ＲＡ）基地局（ＢＳ）のプリアンブルについて指定されることができる。従って、ＧＡ ＢＳ及びＲＡ ＢＳ間のプリアンブル干渉（例えば、衝突）は著しく低減される可能性がある。
【００１３】
主題開示の他の形態によると、無線信号の一以上の部分は低または中間電力送信器によってプリアンブル伝送のために指定される；高電力送信器（例えば、マクロ・セル基地局）は無線信号のこれらの指定部分を空白（blank）にする。従って、大きな高電力ＢＳと中間から低電力ＢＳ(mid to low power BSs)との間の干渉は無線信号の少なくともこれらの指定部分において緩和されることができる。主題開示は異なるサイズ及び／または伝送電力の（ＢＳ）を持つ、従来（legacy）モバイル・ネットワークに関して、そしてまた計画されていないまたは半分計画された無線ＡＮについて（プリアンブル衝突緩和に基づいて）ＡＰ検出を提供することができるということが理解されるべきである。
【００１４】
一以上の追加の形態によると、無線ＡＮにおけるＢＳ検出の方法が提供される。その方法は無線信号について信号資源のセットを確立することを含むことができる。その方法はさらに捕捉パイロットを無線信号にスケジュールする際に資源再使用を採用することを含む。
【００１５】
一以上の他の形態では、無線ＡＮにおけるＢＳの検出を促進する無線ＢＳが開示される。無線ＢＳは無線信号を伝送する無線送受信器を含むことができる。さらに、無線ＢＳは無線信号について信号資源のセットを確立し、且つ捕捉パイロットを無線信号にスケジュールする際に資源再使用を採用する信号パーサを含むことができる。
【００１６】
なお他の形態では、無線ＡＮにおけるＢＳ検出を提供するために構成される装置が提供される。その装置は無線信号について信号資源のセットを確立する手段を含むことができる。その装置はさらに捕捉パイロットを無線信号にスケジュールする際に資源再使用を採用する手段を含むことができる。
【００１７】
一以上の追加の形態によると、無線ＡＮにおけるＢＳ検出を提供するために構成されたプロセッサーが開示される。プロセッサーは無線信号について信号資源のセットを確立する第一モジュールを含むことができる。プロセッサーはさらに捕捉パイロットを無線信号にスケジュールする際に資源再使用を採用する第二モジュールを含むことができる。
【００１８】
少なくとも一つのさらなる形態では、無線信号について一組の信号資源を確立するために少なくとも一つのコンピューターによって実行可能にするコンピューター可読命令を含むコンピューター可読メディアが提供される。その上、その命令は捕捉パイロットを無線信号にスケジュールする際に資源再使用を採用することが少なくとも一つのコンピューターによって実行可能であることができる。
【００１９】
上記にさらに、無線ＡＮにおけるＢＳ検出を可能にする方法が提供される。その方法は無線信号について信号資源のセットを確立することを含むことができる。さらに、その方法は制御チャネル情報を無線信号にスケジュールする際にランダム、擬似ランダム、または学習による（learned）再使用を採用することを含むことができる。
【００２０】
その上、主題開示は無線ＡＮにおけるＢＳ検出を可能にする無線ＢＳを提供する。無線ＢＳは無線信号を伝送する無線送受信器を含むことができる。さらに、無線ＢＳは無線信号について信号資源のセットを確立し、且つ制御チャネル情報を無線信号にスケジュールする際にランダム、擬似ランダム、または学習による資源再使用を採用する信号パーサを含むことができる。
【００２１】
さらなる形態では、無線ＡＮにおけるＢＳ検出を可能にするための装置が開示される。その装置は無線信号について信号資源のセットを確立するための手段を具備することができる。その上、その装置は制御チャネル情報を無線信号にスケジュールする際にランダム、擬似ランダム、または学習による再使用を採用するための手段を具備することができる。
【００２２】
一以上の他の形態では、無線ＡＮにおけるＢＳ検出を可能にするために構成されたプロセッサーが提供される。そのプロセッサーは無線信号について信号資源のセットを確立する第一モジュールを含むことができる。さらに、そのプロセッサーは制御チャネル情報を無線信号にスケジュールする際にランダム、擬似ランダムまたは学習による再使用を採用する第二モジュールを含むことができる。
【００２３】
なお他の形態では、コンピューター可読メディアが開示される。そのコンピューター可読メディアは無線信号について信号資源のセットを確立することが少なくとも一つのコンピューターによって実行可能なコンピューター可読命令を含むことができる。そのコンピューター可読命令はさらに、制御チャネル情報を無線信号にスケジュールする際にランダム、擬似ランダムまたは学習による再使用を採用することが少なくとも一つのコンピューターによって実行可能であることができる。
【００２４】
上記に加えて、無線ＢＳを検出する方法が開示される。その方法は少なくとも第一及び第二の時間サイクルを含む無線信号を取得することを含むことができる。その方法はまた下記の少なくとも一つを含むことができる：第一時間サイクルの一つの時間フレームから、及び第二時間サイクルの異なる時間フレームから捕捉パイロットを取得すること；或いは制御チャネル情報を無線信号から取得するためにランダム、擬似ランダムまたは学習による再使用機能を採用すること。
【００２５】
他の形態によると、無線ＢＳの検出のために構成された装置が提供される。その装置は少なくとも第一及び第二の時間サイクルを含む無線信号を取得する無線アンテナを具備することができる。さらに、その装置は次の少なくとも一つを行う受信プロセッサーを具備することができる：第一時間サイクルの一つの時間フレームから、及び第二時間サイクルの異なる時間フレームから捕捉パイロットを取得する；或いは制御チャネル情報を無線信号から取得するためにランダム、擬似ランダムまたは学習による再使用機能を採用する。その上、その装置は受信プロセッサーに接続されたメモリーを具備することができる。
【００２６】
なお他の形態によると、無線ＢＳを検出するために構成された装置が開示される。その装置は少なくとも第一及び第二の時間サイクルを含む無線信号を取得するための手段を具備することができる。その装置はさらに次の少なくとも一つを具備することができる：第一時間サイクルの一つの時間フレームから、及び第二時間サイクルの異なる時間フレームから捕捉パイロットを取得するための手段；或いは制御チャネル情報を無線信号から取得するためにランダム、擬似ランダムまたは学習による再使用機能を採用するための手段。
【００２７】
一以上の特定の形態によると、無線ＢＳの検出のために構成されたプロセッサーが提供される。そのプロセッサーは少なくとも第一及び第二の時間サイクルを含む無線信号を取得する第一モジュールを含むことができる。さらに、そのプロセッサーは次の少なくとも一つを行う第二モジュールを含むことができる：第一時間サイクルの一つの時間フレームから、及び第二時間サイクルの異なる時間フレームから捕捉パイロットを取得する；或いは制御チャネル情報を無線信号から取得するためにランダム、擬似ランダムまたは学習による再使用機能を採用する。
【００２８】
少なくとも一つの他の形態では、コンピューター可読メディアが開示される。コンピューター可読メディアは少なくとも第一及び第二の時間サイクルを含む無線信号を取得することが少なくとも一つのコンピューターによって実行可能なコンピューター可読命令を含む。さらに、それらの命令は次の少なくとも一つを行うことが少なくとも一つのコンピューターによって実行可能であることができる：第一時間サイクルの一つの時間フレームから、及び第二時間サイクルの異なる時間フレームから捕捉パイロットを取得する；或いは制御チャネル情報を無線信号から取得するためにランダム、擬似ランダムまたは学習による再使用機能を採用する。
【００２９】
前述及び関連の目的を達成するために、一以上の形態は以下に十分に記述され、そして特に請求項において指摘される特徴を含む。次の記述及び添付の図は一以上の形態のある例示の形態において詳細に説明される。しかしながら、これらの形態は様々な形態の原理が採用されることができる様々な方法の二、三を示しているのに過ぎず、そして記述された形態が全てのこのような形態及びそれらの同等なものを含むことが意図されている。
【図面の簡単な説明】
【００３０】
【図１】ここに説明される形態による無線通信を提供するシステム例のブロック図を例示する。
【図２】異種の伝送電力基地局（ＢＳ）を含む無線アクセス・ネットワーク（ＡＮ）例のブロック図を示す。
【図３】主題開示の形態による無線信号例のブロック図を例示する。
【図４】主題開示のさらなる形態による追加の無線信号例のブロック図を示す。
【図５】いくつかの形態によるＡＰ検出を促進するために周波数サブタイルを含む無線信号例のブロック図を例示する。
【図６】さらなる形態による周波数部分帯域及びサブタイルを含む別の無線信号例のブロック図を例示する。
【図７】主題開示の一以上の他の形態による信号インターレース例のブロック図を示す。
【図８】異種のＢＳネットワークにおけるＢＳ検出を促進するために構成された基地局を含むシステム例のブロック図を例示する。
【図９】無線通信におけるＢＳ検出を促進するアクセス端末（ＡＴ）を含むシステムのサンプルのブロック図を示す。
【図１０】無線ＡＮにおけるＢＳ検出のための方法例のフロー・チャートを例示する。
【図１１】ここに開示された一以上の形態によるプリアンブルスケジューリングのための方法例のフロー・チャートを示す。
【図１２】無線ＡＮにおけるＢＳ検出を促進するための方法のサンプルのフロー・チャートを例示する。
【図１３】開示された形態による無線受信器におけるＢＳ検出を促進するための方法例のフロー・チャートを示す。
【図１４】開示の特定の形態による無線ＡＮにおけるＢＳ検出を提供するシステム例のブロック図を例示する。
【図１５】さらに開示された形態による無線通信におけるＢＳ検出を促進するシステムのサンプルのブロック図を示す。
【図１６】いくつかの形態による無線通信環境においてＢＳを検出するためのシステムのサンプルのブロック図を例示する。
【詳細な説明】
【００３１】
様々な形態が図を参照して述べられ、同等の参照数字が全体にわたって同様な要素を参照するために使用される。次の説明では、説明の目的のために、多数の特定の項目が一以上の形態の完全な理解を行うために説明される。しかしながら、そのような形態（１つまたは複数）はこれらの特定の項目なしで実践されることは明白であることができる。他の事例では、周知の構造及びデバイスが一以上の形態を記述するのを容易にするためにブロック図の形で示される。
【００３２】
その上、開示の様々な形態は下記に記述される。この中の教示は多種多様な形で具体化されること、及びここに開示されるいかなる特定の構造及び／または機能も単なる代表にすぎないことは明白であるべきである。この中の教示に基づいて、当業者はここに開示される形態がいずれの他の形態とは無関係に実施されること、及び二つ以上のこれらの形態が様々な方法で結合されることを認識すべきである。例えば、この中に説明される任意の数の形態を利用して、装置は実施され、および／または方法は実践されることができる。その上、ここに説明される一以上の形態に加えて、もしくはここに説明される一以上の形態の外に他の構造及び／または機能を使用して装置は実施される、および／または方法は実践されることができる。例として、ここに記述される方法、デバイス、システム、及び装置の多くは近くのＢＳの間のプリアンブル衝突を低減させる方法で無線信号プリアンブル情報をスケジュールするという文脈の中で述べられる。当業者は同様の技術が他の通信環境に適用されることができるであろうことを認識すべきである。
【００３３】
無線アクセス・ネットワーク（ＡＮ）における無線基地局（ＢＳ）の計画された配置は一般的に送受信器デバイスの位置、間隔及び伝送／受信特性を考慮する。計画された配置の一つの目標（ゴール）は送信器間の干渉を低減させることである。このように、例えば、二つの基地局はそれらのそれぞれの送信器の最大伝送範囲に類似する距離だけ離れた間隔をとる可能性がある。従って、他方の基地局における一方の基地局からの干渉が最小化されることができる。
【００３４】
計画されていないもしくは半分計画されたＢＳ配置では、無線送信器は干渉を低減させるように管理されることができるそれらの伝送電力、伝送方向、または同様の特性を考慮して大抵は間隔をとらない。その代りに、相互に極めて接近していることは（例えば、実質的に３６０度に伝送する）二つ以上の同様に伝送するＢＳにとって希ではないことがある。さらに、異種の伝送電力環境では、高電力ＢＳ（例えば、２０ワットのマクロ・セル）が中間または低電力送信器（変動する伝送電力、例えば、８ワット、３ワット、１ワット等々の、例えば、マイクロ・セル、ピコ・セル、フェムト・セル等々）に隣接して位置することがある。高電力送信器は中間及び／または低電力送信器にとって重大な干渉源である可能性がある。さらに、中間／低電力送信器（１つまたは複数）への受信器の近接度によって、高電力送信器の重大な干渉が同様に生じることができる。従って、半分計画されたまたは計画されていない環境または異種の伝送電力環境における信号干渉は従来の計画されたマクロ基地局ＡＮと比較すると重大な問題である。
【００３５】
前記に加えて、限定アクセス（ＲＡ）ＢＳは半分計画されたまたは計画されていないＢＳ配置に起因する問題を悪化させる。例えば、ＲＡ ＢＳは他のそのようなデバイスへのネットワーク・アクセスを拒絶して一以上の端末デバイスへのアクセスを選択的に供給することができる。従って、アクセスを拒絶されたデバイスは他のＢＳを捜すことを強制され、度々それは拒絶ＢＳからの重大な干渉を観測する。ここに利用されるように、ＲＡ ＢＳはまた私的（private）ＢＳ（例えば、フェムト・セルＢＳまたはホーム・ノードＢ［ＨＮＢ］）、またはいくつかの同様の用語で呼ばれる。
【００３６】
ＲＡ ＢＳはネットワークに複雑さを加えるが、それらは重要なユーティリティを提供する。例えば、個人用ＲＡ ＢＳは（例えば、インターネットへ、及び／またはモバイル・オペレーターのネットワークへの）音声及びまたはデータ・アクセスのために私的ネットワーク化資源を利用して、私的に家庭において、オフィス等において取付けられることができる。そのような配置は個人用ＲＡ ＢＳを介して加入者のネットワーク・アクセスを通して大きな個々の制御を供給することができる。しかしながら、ネットワーク・インタフェースはネットワーク・オペレーターによって維持される資源というよりは、加入者の私的ネットワーク資源を利用するので、そのようなＢＳの所有者は一般アクセス・モバイル・ユーザーによって利用されるそれらの資源を望まないであろう；従って、ＲＡ ＢＳは一般的に認定ユーザーのために資源を維持して、事前指定端末デバイスへのアクセスを制限することができる。
【００３７】
前記に加えてさらに、計画されていない、異種及びＲＡ配置は無線ＡＮの粗末な幾何学条件をもたらす可能性がある。限定接続（restricted association）がなかったとしても、ピコＢＳは経路損失に関して端末に「さらに接近」しているので、マクロＢＳから非常に強い信号を観測するデバイスはピコＢＳに接続する方を選ぶことができるであろう。このように、ピコＢＳは同等のデータ速度で端末にサービスすることができ、一方無線ＡＮに対してより少ない干渉をもたらす。しかしながら、ピコＢＳ信号（例えば、制御及び捕捉情報を含むプリアンブル）を監視する端末は端末において低信号対雑音比（ＳＮＲ）をもたらし（例えば、場合によってはＢＳによってピコＢＳを検出できなくする）、マクロＢＳからの重大な干渉を観測するであろう。
【００３８】
さらなる問題はまたＲＡ ＢＳが上で論じた異種のＢＳ環境に導入されるとき生じる可能性がある。そのような場合には、端末デバイスは接続することを許されないＢＳに非常に接近することができ、非常に高いレベルでそのようなＢＳの信号を観測する。従って、このＢＳは端末にサービスするＢＳ（例えば、その端末が接続することを許される最も近いＢＳ）に強い干渉をもたらす（そして、例えば、非常に低いＳＮＲをもたらす）であろう。いくつかの場合には、その干渉は端末のアナログ／ディジタル（Ａ／Ｄ）変換器を感度低下させるほどに強力であることができる。感度低下（desensitization）の問題を例示するために、端末の部品は一般的に干渉レベル（それは、例えば、前述のシナリオではＲＡ ＢＳによって支配されることができる）を加えた全体の受信信号強度に基づいて設定されることができる。サービスするＢＳの信号レベルが隣接ＲＡＢＳに対し非常に低い場合には、そのような信号は量子化騒音レベル以下であることができる。そのような場合には、干渉ＢＳがサービングＢＳより無線信号の異なる周波数資源（例えば、異なる副搬送波または副搬送波のセット）上に存在するとしても、干渉ＢＳは端末においてサービングＢＳをまだ検出できないようにし、後者は量子化雑音によって遮蔽される。
【００３９】
ここに述べるように、主題開示のいくつかの形態は前述の問題または同様のネットワーク通信、及び／またはアクセス問題に取り組むために提供される。主題開示の一つのそのよう形態において、動的なプリアンブル再使用がＢＳのプリアンブルをスケジュールするために採用されることができる。動的プリアンブル再使用は無線信号の一つの時間サイクルまたはスーパーフレームにおいて干渉するＢＳが別のそのような時間サイクル／スーパーフレームにおいて干渉しない良好な可能性を提供することができる。従って、重大な干渉を観測する端末デバイスは、復号可能なプリアンブル・データが取得されるまで無線信号を監視することができる。ここに利用されるように、動的プリアンブル再使用は無線信号の二つ以上のスーパーフレームまたはサイクルの異なる資源において、信号プリアンブルをスケジュールすることを云う。このように、一つの例として、動的なプリアンブル再使用はプリアンブルを伝送するために無線信号の第一スーパーフレーム／サイクルの第一資源を採用し、そして無線信号の次のスーパーフレーム／サイクルにおいてプリアンブルを伝送するために（第一資源とは異なる）第二資源を採用する。さらに、動的なプリアンブル再使用は全資源再使用もしくは部分的な資源再使用を含むことができる。ここに利用されるように、部分的な資源再使用は無線信号の特定の時間サイクルの時間、周波数、符号及び／またはシンボル準拠の資源の一部だけを採用することを云う。このように、例えば、部分的な再使用は特定の時間サイクルの一時間フレームと関連する４つの周波数副帯域のうち３つまたはそれよりも少ない周波数副帯域上でデータを伝送することを含むことができる。一方、全再使用（または、例えば非再使用）は、特定の時間サイクルの少なとも一つの時間フレームの全ての資源を採用することを云う（近隣周波数チャネルにおいて干渉を低減させるために利用されるバッファー周波数を随意に除外する）。このように、前記の例では、全再使用はデータを伝送するために周波数副帯域の全４個を採用する。
【００４０】
開示の一以上の他の形態では、プリアンブル再使用はＢＳによって変化する。例えば、無線信号の異なる資源は異種のアクセス形式の、異種の伝送電力の、異種の再使用形式（例えば、再使用または非再使用）の、または単に異種のＢＳ ＩＤを持つＢＳによって利用されることができる。このように、一つの特定の例では、無線信号の第一部分はＧＡ ＢＳのプリアンブルのためにリザーブされることができ、そして無線信号の第二部分はＲＡ ＢＳのプリアンブルのためにリザーブされることができる。ＲＡ ＢＳは無線信号の第一部分における伝送から制限されることができる。いくつかの形態によると、高電力（例えば、マクロ・セル）ＧＡ ＢＳが無線信号の第二部分において伝送することを制限されても、低もしくは中間電力ＧＡ ＢＳは無線信号の第二部分において伝送することを許可されることができる。そのような形態によると、そこで、低から中間電力ＢＳは無線信号の第一部分または第二部分のいずれかにおいてプリアンブルを伝送することができるが、高電力ＢＳ及びＲＡ ＢＳは無線信号の少なくとも一つの部分から制限され、そしてそのような部分を空白にしなければならない。
【００４１】
ＲＡ ＢＳ（または、例えば、ＲＡ及び低から中間電力ＧＡ ＢＳ）専用の無線信号の一部を空白にすることをマクロＢＳに要求することによって、端末デバイスはマクロＢＳによるサービスを受けないとき無線信号のこの部分を無視することができる。さらに、ＧＡ ＢＳ専用の無線信号の一部を空白にすることをＲＡ ＢＳに要求することによって、その端末はマクロＢＳによるサービスされるとき無線信号のそのような部分を無視することができる。従って、プリアンブル干渉は無線信号の個別のそれぞれの部分においてプリアンブルを伝送すること、且つ／または別の指定部分（１つまたは複数）を空白にすることをマクロ及びＲＡ ＢＳに要求することによって著しく低減させられる可能性がある。いくつかの形態によると、信号の部分は時間−セグメント、周波数−セグメント、または時間および周波数のセグメントである。少なくとも一つの形態では、上で論じたように、その部分は受信信号強度における高い格差及び非常に低いＳＮＲによる受信器の感度低下（desensitization）を緩和するための、無線信号の個別の時間フレームまたはサブ−フレームである。
【００４２】
捕捉パイロット及び／または制御チャネル情報をスケジュールする際に動的再使用を採用することはモバイル端末が信号の別の時間サイクル（１つまたは複数）上の別のパイロットにより著しく妨害される一つの時間サイクル上の信号を復号することを可能にすることができる。例として、第一基地局の捕捉パイロットは受信デバイスで測定されるので、第二基地局の第二捕捉パイロットより著しく弱い可能性があるであろう。第一基地局が第二基地局より受信器からはるかに離れているならば、第一基地局が第二基地局より弱い電力で伝送するならば、第一基地局からの信号が重大な環境上の散乱または干渉、または前記の組合せによる影響を受けるならば、そのような信号強度の格差が生じる可能性がある。信号強度格差は一つの資源における信号を復号するのに失敗する結果になるが、動的再使用を採用することによって、基地局は伝送パイロットが一以上の資源上の別の基地局のパイロットと衝突しないであろう可能性（likelihood）を増加させることができる。従って、信号を長時間ずっと監視することによって、受信器は弱い捕捉パイロットが強いパイロットを重大な干渉元として見ない資源を観測する高い確率を持つ。このように、信号の資源を長時間ずっと観測することによって、受信器は著しく弱い基地局のパイロットを復号する確率を増加させることができる。
【００４３】
いくつかの場合には、弱い基地局は好ましい基地局であることができる。例えば、上で論じたように、弱い基地局は低い信号経路損失を提供することができる。他の場合には、弱い基地局は受信器と関連するＲＡ基地局であることができ、それは好ましい課金または他の利便を提供する。そのような場合には、そのような弱いＢＳからの信号を検出する受信器はそのようなＢＳへのハンドオフ手続きを開始することができる。ハンドオフはＢＳにアクセスすること及び受信器開始のハンドオフを実施することを含み、或いはネットワーク実施のハンドオフを促進するために弱い／好ましいＢＳをサービングＢＳに報告する。
【００４４】
他の場合には、弱いＢＳの検出はそのような弱いＢＳとの干渉回避動作につながることがある。一つの形態では、干渉回避は弱いＢＳパイロットの信号特性をそのようなＢＳへ、または受信器のサービングＢＳへ報告することを含む。他の形態では、干渉回避は信号強度を低減させるため、特定のＦＬ資源（１つまたは複数）上の信号強度を低減させるため、特定のＦＬ資源を空白にするため等々、別のＢＳへ要求を提示する受信器またはサービングＢＳを含むことができる。そのような要求は資源利用メッセージ（ＲＵＭ）（例えば、同時係属及び関連出願「セクター間動作性能に基づくセクター干渉管理（Sector Interference Management Based on Inter・Sector Performance）」に記載され、この中に引例によって含まれる）または干渉回避要求（例えば、同時係属及び関連出願「干渉回避のためのバックホール信号通信（Backhaul Signaling for Interference Avoidance）」に記載され、この中に引例によって含まれる）と呼ばれることができる。干渉回避メッセージは受信器から（例えば、サービングＢＳを持つＲＬチャネル及びサービングＢＳ及び弱いＢＳを接続するバックホールネットワークを利用して）弱いＢＳに直接に、またはサービングＢＳを介して間接的に送られることができる（例えば、弱いＢＳの捕捉パイロットの検出、またはそのようなパイロットの特性がネットワークからの干渉回避を管理するためにサービングＢＳに提示される場合）。
【００４５】
主題開示の一以上の追加の形態によると、ＢＳ及び／または無線アクセスポイントネットワークは信号を伝送するＢＳの形式に少なくとも一部信号資源を分割することができる。例として、信号の一以上の部分は特定の形式のＢＳによるプリアンブルスケジューリングのためにリザーブされることができる。伝送ＢＳが特定の形式でなければ、それはリザーブされた部分を空白にすることができ、そのような部分におけるデータを伝送しないか、実質的に伝送しない。このように、例えば、ＲＡ、ＧＡ、低／中間電力ＢＳ、高電力ＢＳ、再使用ＢＳ、非再使用ＢＳ等々はプリアンブル伝送専用の無線信号の資源を持つことができる。さらに、プリアンブルが無線信号の第二サイクル／スーパーフレームと比較して第一サイクル／スーパーフレームにおいて異なる信号資源にスケジュールされるように、専用資源は動的割付を利用してスケジュールされることができる。さらに、リザーブされた部分は無線信号の一以上のスーパーフレーム専用であることができる。このように、一つの可能な例では、一つの時間フレームは無線信号のすべて二つの時間スーパーフレームごとにスケジュールするＲＡ及び低／中間電力プリアンブル専用であることができる。別の可能な例では、二つの時間フレームは一つの時間スーパーフレームごとにスケジュールするＲＡ及び低／中間電力プリアンブル（または、例えば、ＧＡプリアンブル、再使用プリアンブル、非再使用プリアンブル等）専用であることができる。スーパーフレーム／サイクルの数に対する無線信号の専用部分の数の選択は無線ＡＮにおける選択形式の送信器の数、そのような送信器のプリアンブルの干渉レベル、無線チャネルのそのような部分において決定された衝突の数等々に基づくことができる。
【００４６】
いくつかの形態によると、時間及び／または周波数再使用はプリアンブルスケジューリングのために採用されることができる。このように、信号資源はプリアンブルの伝送のために二つ以上の時間サブスロットまたは二つ以上の周波数部分帯域等（例えば、小部分）に細分化されることができる。その小部分は一以上の選択されたＢＳに割当てられることができる。さらに、いくつかの部分は特定形式（例えば、アクセス時間、伝送電力、再使用形式）のＢＳ等々についてリザーブされることができる。一つの形態では、各ＢＳはそのプリアンブルを伝送するために別個のサブスロットを持つ。別の形態では、サブスロットより多いＢＳが存在する場合には、周波数再使用は一以上のサブスロットについて実施されることができる。このように、二、三またはそれ以上のＢＳがサブスロットの周波数部分帯域に割当てられることができる。いくつかの形態では、ＢＳが無線信号の各サブフレーム／サイクルについて同じサブスロットを採用するように割当は計画されることができる。そのような形態では、端末デバイスは関係するプリアンブル伝送を取得するために単一信号資源をただ走査する必要がある。他の形態では、ＢＳが（例えば、上で論じたように、動的割付けを採用して）無線信号の異なるスーパーフレーム／サイクルの異なる資源においてプリアンブルを伝送するように、その割当はランダム、擬似ランダム等である（例えば、乱数または疑似乱数生成アルゴリズムに基づく）。動的割付けは支配的な干渉ＢＳとの連続衝突の可能性を低減させるために採用されることができる。少なくとも一つの追加の形態では、割当は端末デバイスからの衝突フィードバックに少なくとも一部基づくことができ、そして共通のサブスロット上の多数のＢＳの伝送電力における実質的格差を緩和するために実施されることができる。
【００４７】
ＢＳの時間及び周波数再使用及びサブスロット割当の両方を提供することは上で論じた感度低下問題を緩和するのに役立つことができる。例えば、受信器において取得された多数の信号の信号電力格差が大きい場合には、信号が異なる周波数サブスロット（例えば、周波数再使用を採用する直交周波数サブスロット）で伝送される場合でさえも、弱い信号は読むことが出来ない可能性がある。これは、例えば、弱い信号が量子化雑音フロア以下で受信される場合に発生する可能性がある。この場合には、二つの異なる時間に信号を受信することが双方の信号の理解につながることができる。このように、学習によるスケジューリングにおいて、受信信号強度における高い格差は無線信号の異なる時間サブスロットへ二つの信号をスケジュールすることによって回避されることができる。さらに、ランダム／擬似ランダム／時間変動の再使用スケジューリングでは、二つのそのような信号が別のスーパーフレームの別の資源において衝突する場合でさえも一つのスーパーフレームの資源において二つのそのような信号が衝突しないであろう確率が存在する。そのような形態では、無線信号の多数のスーパーフレーム伝送にわたって多数のサブスロットを監視することによって、弱い信号がより高電力の送信器とサブスロットにおいて共存しない場合に受信器はサブスロットを結局は受取るであろう。
【００４８】
ここに開示したいくつかの例では、ＢＳは他のＢＳにリザーブされた信号資源を空白にすることを要求されることができる。例として、マクロＢＳ（例えば、高電力ＧＡ ＢＳ）はＲＡ ＢＳにリザーブされた時間フレームを空白にすることを要求されることができる。これは割り込まれているマクロＢＳの自動反復要求（automatic repeat・request：ＡＲＱ）（もしくは、例えば、混成ＡＲＱまたは［ＨＡＲＱ］）時系列をもたらすことができる。そのような場合には、マクロＢＳは逆方向リンク（ＲＬ）トラヒックの割当または受信確認（acknowledgements）を伝送することができないことがある。従って、開示のいくつかの形態では、ＢＳは共通インターレースに関する二つの空白にされたフレーム（例えば、ＵＭＢシステムでは、間が７フレームだけ分離された二つのフレーム）を共にグループ化することができ、そしてグループ化されたフレームを共に割当／受信確認する。割当情報はグループ化されたフレームの前及び受信確認情報の後に組み込まれる。このように、例として、空白にされたフレームに先立つ割当フレームは二つのＲＬフレームに適用することができ、そして空白にされたフレームに続く受信確認フレームは二つの他のＲＬフレームに適用することができるであろう。従って、ＨＡＲＱ機能はそのような指定フレームと共に実施されることができる。
【００４９】
主題開示において使用されるように、用語「要素（コンポーネント）」、「システム」、「モジュール」等はコンピューター関連の実体、ハードウェア、ソフトウェア、実行中のソフトウェア、ファームウェア、ミドルウェア、マイクロコード、及び／またはその任意の組合せを云うことを意味する。例えば、モジュールはプロセッサー上で実行する処理、プロセッサー、対象（object）、実行ファイル（executable）、実行スレッド、プログラム、デバイス、及び／またはコンピューターであることができるが、それに制限されない。一以上のモジュールは実行の処理及び／またはスレッド内に在駐することができ、そしてモジュールは一つの電子デバイスに局在化し、且つ／または二つ以上の電子デバイスの間に分散されることができる。さらに、これらのモジュールはその上に格納された様々なデータ構造を持つ様々なコンピューター可読メディアから実行することができる。それらのモジュールは一以上のデータ・パケット（例えば、局所システム、分散システム、そして／または信号によって他のシステムを用いたインターネットのようなネットワーク上で、別の要素と相互作用する一つの要素からのデータ）を持つ信号によるという局所的及び／または遠隔処理によって通信することができる。その上、当業者によって認識されるように、ここに述べるシステムの要素またはモジュールはそれに関して記述される様々な形態、目標、利点等の達成を促進するために追加の要素／モジュール／システムによって再配置され、且つ／または補完されることができ、そして所与の図に説明される正確な形状に制限されない。
【００５０】
さらに、様々な形態がユーザー端末（user terminal：ＵＴ）に関連してここに述べられる。ＵＴはまたシステム、加入者ユニット、加入者局、移動（モバイル）局、移動体（モバイル）、移動体（モバイル）通信デバイス、モバイル・デバイス、遠隔局、遠隔端末、アクセス端末（ＡＴ）、ユーザー・エージェント（ＵＡ）、ユーザー・デバイス、またはユーザー設備（ＵＥ）と呼ばれることができる。加入者局はセルラー電話、コードレス電話、セッション開始プロトコル（Session Initiation Protocol：ＳＩＰ）電話、無線ローカルループ（wireless local loop：ＷＬＬ）局、携帯情報機器（ＰＤＡ）、無線接続能力を持つ携帯用デバイス、または無線モデムに接続された他の処理デバイスまたは処理デバイスとの無線通信を容易にする類似の機能であることができる。
【００５１】
一以上の典型的な実施例では、記述された機能がハードウェア、ソフトウェア、ファームウェア、ミドルウェア、マイクロコード、またはその任意の適切な組合せにおいて実施されることができる。ソフトウェアにおいて実施されるならば、それらの機能はコンピューター可読メディア上に一以上の命令またはコードとして格納され、もしくは伝送されることができる。コンピューター可読メディアは一つの場所から別の場所へのコンピューター・プログラムの転送を容易にする任意のメディアを含むコンピューター記憶メディア及び通信メディアの双方を含む。記憶メディアはコンピューターによってアクセスされることができる任意の物理的メディアであることができる。一例として、制限ではなく、そのようなコンピューター記憶メディアはＲＡＭ、ＲＯＭ、ＥＥＰＲＯＭ、ＣＤ−ＲＯＭまたは他の光ディスク記憶、磁気ディスク記憶または他の磁気記憶デバイス、スマート・カード、及びフラッシュ・メモリー・デバイス（例えば、カード、スティック、キー・ドライブ・・・）、または所望のプログラム・コードを命令またはデータ構造の形で搬送し、または格納するために使用されることができる、且つコンピューターによってアクセスされることができる任意の他のメディアを含む。さらに、いずれの接続も適切にコンピューター可読メディアと呼ばれる。例えば、ソフトウェアがウェブサイト、サーバー、または遠隔源から同軸ケーブル、光ファイバー・ケーブル、ツイストペア、ディジタル加入者リンク（ＤＳＬ）、または赤外線、無線(radio)、及びマイクロ波といった無線技術を使用して伝送されるならば、同軸ケーブル、光ファイバー・ケーブル、ツイストペア、ＤＳＬ、または赤外線、無線(radio)、及びマイクロ波といった無線技術はメディアの定義に含まれる。ここで使用されるディスク(disk)及びディスク(disc)はコンパクトディスク（ＣＤ）、レーザー・ディスク、光ディスク、ディジタル多目的ディスク（ＤＶＤ）、フロッピー（登録商標）・ディスク、及びブルーレイ・ディスクを含み、そこではディスクは(disk)磁気的にデータを通常再生し、一方、ディスク(disc)はレーザによって光学的にデータを再生する。前記の組合せもまたコンピューター可読メディアの範囲内に含まれるべきである。
【００５２】
ハードウェア実施では、ここに開示された形態に関連して述べられる処理ユニットの様々な例示の論理、論理ブロック、モジュール、及び回路は一以上の特定用途向け集積回路（ＡＳＩＣ）、ディジタル信号プロセッサー（ＤＳＰ）、ディジタル信号処理デバイス（ＤＳＰＤ）、プログラマブル論理デバイス（ＰＬＤ）、フィールド・プログラマブル・ゲートアレイ（ＦＰＧＡ）、個別ゲートまたはトランジスター論理、個別ハードウェア部品、多目的プロセッサー、コントローラー、マイクロコントローラー、マイクロプロセッサー、ここに述べた機能を実行するために設計された他の電子ユニット、またはその任意の組合せの中で実施または実行されることができる。多目的プロセッサーはマイクロプロセッサーであることができるが、これに代るものでは、プロセッサーは任意の従来プロセッサー、コントローラー、マイクロコントローラー、またはステートマシン(state machine)であることができる。プロセッサーはまた計算デバイスの組合せ、例えば、ＤＳＰとマイクロプロセッサーの組合せ、複数のマイクロプロセッサー、ＤＳＰコアと連係する一以上のマイクロプロセッサー、または他の任意のそのような構成として実施されることができる。その上、少なくとも一つのプロセッサーはここに述べる一以上のステップ及び／または動作を実行するために動作可能な一以上のモジュールを含むことができる。
【００５３】
さらに、ここに述べる様々な形態または特徴は標準プログラミング及び／またはエンジニアリング技術を使用して方法、装置、または製造品として実施されることができる。さらに、ここに開示された形態に関連して述べる方法またはアルゴリズムのステップ及び／または行為は直接ハードウェアにおいて、プロセッサーによって実行されたソフトウェア・モジュールにおいて、もしくは二つの組合せにおいて具体化されることができる。その上、いくつかの形態において、方法またはアルゴリズムのステップ及び／または行為はコード及び／または命令の少なくとも一つまたは任意の組合せまたはセットとしてマシン可読メディア及び／またはコンピューター可読メディア上に在駐することができ、それはコンピューター・プログラム製品に組込まれることができる。ここに使われる「製造品（article of manufacture）」は任意のコンピューター可読デバイスまたはメディアからアクセス可能なコンピューター・プログラムを包含することを意味する。
【００５４】
その上、単語「典型的な（exemplary）」は例（example）、場合（instance）、または例示（illustration）として役立つことを意味するようにこの中に使用される。「典型的な」としてここに述べた任意の形態または設計は他の形態または設計に関して必ずしも好ましい、または有利であるとして解釈されるとは限らない。むしろ、単語「典型的な」の使用は具体的方法で概念を提示することを意味する。この明細書に使用されるように、用語「または（もしくは、或いは）（or）」は排他的な「または」というよりはむしろ包括的な「または」を意味する。即ち、他に指定されない限り、または文脈から明らかでない限り、「ＸはＡまたはＢを採用する」は自然の包括的な置換のいずれも意味するよう意図される。即ち、ＸがＡを採用する；ＸがＢを採用する；またはＸがＡ及びＢ双方を採用するならば、「ＸはＡまたはＢを採用する」は前記の場合のどれにおいても満たされる。その上、この明細書及び付加請求項において使用される不定冠詞「ａ（一つの）」及び「ａｎ（一つの）」は他に指定されない限り、または単数形に指示されるべく文脈から明らかでない限り、「一つ以上（one or more）」を意味するように一般に解釈されるべきである。
【００５５】
ここに使用されるように、用語「推論する（infer）」または「推論（inference）」は事象（events）及び／またはデータを介してキャプチャされた一組の観測からシステム、環境、及び／またはユーザーの状態を判断する、または推論する処理を一般に云う。例えば、推論は特定の文脈または行為を識別するために採用され、或いは状態にわたる確率分布を生成することができる。推論は確率的であることができる、即ち、データ及び事象の考察に基づく関心の状態にわたる確率分布の計算である。推論はまた一組の事象及び／またはデータから高レベルの事象を作成するために使用される技法を云う。その事象が緊密な時間的近接度で相関しているかどうかに拘らず、そして事象及びデータが一つまたはいくつかの事象及びデータソースから生じるかどうかに拘らず、そのような推論は一組の観測事象及び／または格納事象データから新しい事象または行為の構築をもたらす。
【００５６】
ここで図面を参照すると、図１は、例えば、一以上の形態と関連して利用できる、多数の基地局１１０（例えば無線ＡＰ）及び多数の端末１２０（例えばＵＴ）を持つ無線通信システム１００を例示する。基地局（１１０）は一般に端末と通信する固定局であり、そしてまたアクセスポイント、ノードＢ、または他の用語で呼ばれることができる。各基地局１１０は、図１において三つの地理区域として例示され、１０２ａ、１０２ｂ、及び１０２ｃでラベル付けされた特定の地理領域の通信カバレッジまたはカバレッジエリアを提供する。用語「セル」はその用語が使用される文脈に応じて、基地局及び／またはそのカバレッジを云う。システム容量を拡充するために、基地局の地理領域／カバレッジエリアは多数の小区域（例えば、図１のセル１０２ａによると、三つの小区域）１０４ａ、１０４ｂ、及び１０４ｃに分割されることができる。各小区域（１０４ａ、１０４ｂ、１０４ｃ）はそれぞれの基地送受信器サブシステム（ＢＴＳ）によるサービスを受けることができる。用語「セクター」はその用語が使用される文脈に応じてＢＴＳ及び／またはそのカバレッジエリアを指すことができる。セクター化されたセルでは、そのセルの全てのセクターのＢＴＳが一般的にセルの基地局の中に同一場所に位置する。ここに述べる伝送技術は非セクター化セルを持つシステムと同様に、セクター化されたセルを持つシステムに使用されることができる。簡単にするために、次の記述では、他に指定されない限り、用語「基地局」は一般的にまた、セクターにサービス提供する固定局のために、また、セルにサービス提供する固定局のために、使用される。
【００５７】
端末１２０は一般的にシステム中に分散され、そして各端末１２０は固定、もしくは移動可能である。上で述べたように、端末１２０はまた移動局、ユーザー設備、ユーザー・デバイス、または他の用語で呼ばれることができる。端末１２０は無線デバイス、携帯電話、携帯情報機器（ＰＤＡ）、無線モデム・カード等々であることができる。各端末１２０はゼロ、１、または多数の基地局１１０と任意の或る時間に下りリンク（例えば、ＦＬ）及び上りリンク（例えば、ＲＬ）上で通信することができる。下りリンクは基地局から端末への通信リンクを云い、そして上りリンクは端末から基地局への通信リンクを云う。
【００５８】
集中化アーキテクチャでは、システム制御器１３０は基地局１１０に接続し、基地局１１０のために調整及び制御を提供する。分散化アーキテクチャでは、基地局１１０は（例えば、基地局１１０を通信的に接続するバックホールネットワークとして）必要に応じて相互に通信することができる。順方向リンク上のデータ伝送は、一つのアクセスポイントから一つのアクセス端末の間で、順方向リンク及び／または通信システムによって支援されることができる最大データ速度（data rate）またはその近傍の速度で、しばしば発生する。順方向リンクの追加チャネル（例えば、制御チャネル）は、多数のアクセスポイントから一つのアクセス端末へ伝送されることができる。逆方向リンクデータ通信は一つのアクセス端末から一以上のアクセスポイントの間で発生することができる。
【００５９】
図２は異種の無線基地局（ＢＳ）（２０４Ａ、２０４Ｂ、２０４Ｃ、２０４Ｄ）を含む無線アクセス・ネットワーク（ＡＮ）においてＢＳ検出を提供するサンプルシステム２００のブロック図を例示する。ＢＳ ２０４Ａ、２０４Ｂ、２０４Ｃ、２０４Ｄは同期または非同期ＡＮの一部であることを認識すべきである。モバイル・デバイス２０６は無線ＡＮの様々なＢＳ ２０４Ａ、２０４Ｂ、２０４Ｃ、２０４Ｄから無線信号を受信することができる。その上、干渉低減装置２０２は、ＢＳ ２０４Ａ、２０４Ｂ、２０４Ｃ、２０４Ｄによって伝送される無線信号の少なくともいくらかの部分について、デバイス２０６における干渉を低減もしくは取除くために、一以上のＢＳ ２０４Ａ、２０４Ｂ、２０４Ｃ、２０４Ｄの無線信号伝送を管理することができる。
【００６０】
モバイル・デバイス２０６はそのようなデバイス２０６の受信器において取得された無線信号を分析することができる。例えば、デバイス２０６は信号プリアンブルのそのような信号の一部を走査することによって、様々な信号の制御チャネル及び／または捕捉パイロット情報を観測することができる。信号プリアンブルは特定の信号を伝送する基地局（２０４Ａ、２０４Ｂ、２０４Ｃ、２０４Ｄ）を確認し、その信号（１つまたは複数）を復号、且つ復調する方法をモバイル・デバイス２０６に指示し、そして逆方向リンク（ＲＬ）チャネルにおいてデータを基地局（２０４Ａ、２０４Ｂ、２０４Ｃ、２０４Ｄ）に送る方法を確認し、及び／または同様なことを行うことができる。さらに、モバイル・デバイス２０６は受信信号の特性（例えば、信号強度、経路損失、等）に基づいてサービング基地局２０４Ａ、２０４Ｂ、２０４Ｃ、２０４Ｄを選択することができる。
【００６１】
上記で論じたように、多数の基地局（２０４Ａ、２０４Ｂ、２０４Ｃ、２０４Ｄ）のプリアンブルが受信無線信号の共有資源（例えば、フレーム）を占有する場合、プリアンブルは相互に干渉することができ、モバイル・デバイス２０６において区別しにくくなる。この問題を緩和するために、干渉低減装置２０２は特定のＢＳ（２０４Ｂ、２０４Ｃ、２０４Ｄ）、特定のＢＳ形式（例えば、アクセス形式、再使用形式、送信電力）等によってプリアンブルスケジューリングのために無線信号の資源を指定することができる。例えば、一つの資源はＧＡ ＢＳプリアンブルのために指定されることができ、その結果、ＲＡ ＢＳ（２０４Ａ）はそのような資源（１つまたは複数）上でプリアンブルを伝送するのを控える。従って、ＲＡ ＢＳ（２０４Ａ）からのプリアンブル干渉は低減されるか、もしくは除去される。その資源が特定の周波数帯域である場合は、プリアンブル干渉は周波数帯域の間で量子化雑音レベルまで大幅に低減されることができる。その資源が無線信号（１つまたは複数）の特定の時間フレーム／サブフレーム／サブスロットである場合は、プリアンブル干渉はモバイル・デバイス２０６において大幅に除去されることができる。無線信号（１つまたは複数）の資源の追加の指定は、下記で（例えば、図３、４、５及び６以下に）詳述されるように、異種のＢＳのプリアンブルをさらに分離するために導入されることができる。
【００６２】
図３は主題開示の形態による無線信号３００の一部の例を示す。無線信号３００は三つの時間フレーム３０２Ａ、３０２Ｂ、３０２Ｃを含む。時間フレーム３０２Ａ、３０２Ｂ、３０２ＣはＵＭＢ信号のスーパーフレーム、または異なる形式の無線通信システム（例えば、第三世代共同プロジェクト［３ＧＰＰ］、長期進化［ＬＴＥ］、グローバル・モバイル通信システム［ＧＳＭ（登録商標）］、汎用モバイル遠距離通信システム［ＵＭＴＳ］、または同等のシステム）によって生成された信号の他の適切な時間部分（例えばサイクル）であることができる。時間フレーム（３０２Ａ、３０２Ｂ、３０２Ｃ）は通信システムの適切な要求によれば任意の適切な時間期間（例えば、２５ミリ秒）であることができる。図に示したように、時間フレーム３０２Ａ、３０２Ｂ、３０２Ｃはさらに多数の時間ベース部分３０４（例えば、実質的に１ミリ秒期間のフレーム、または他の信号資源）にセグメント化されることができる。各部分３０４（例えば、資源）は（例えば、その部分の全ての時間、周波数、シンボル、及び／またはコード資源を使用して）無線情報の伝送のために利用されることができ、プリアンブル、トラヒック・データ等を含む。資源の一部はまた（例えば、その部分の時間、周波数、シンボル及び／またはコード資源のサブセットだけを使用して）無線情報を送るために利用されることができることをさらに認識すべきである。さらに、様々なＢＳはそれらのプリアンブルを異なる時間フレーム３０２Ａ、３０２Ｂ、３０２Ｃについて異なる信号資源（例えば、様々なスーパーフレーム３０２Ａ、３０２Ｂ、３０２Ｃの灰色の時間フレームによって示される）に動的に割付けることができる。そのような配列は多数の時間フレーム３０２Ａ、３０２Ｂ、３０２Ｃにおける支配的な干渉体からのプリアンブル衝突を低減させることができる。
【００６３】
前記に加えて、信号時間フレーム３０２Ａ、３０２Ｂ、３０２Ｃの少なくとも一部分は、異なるＢＳ及び／または異なる形式のＢＳについてのプリアンブルに割付けられることができる。すなわち、信号時間フレーム３０２Ａ、３０２Ｂ、３０２Ｃの第一、第三及び第二部分において斜方平行模様（cross・hatch pattern）でそれぞれ図示したように、一部分は非再使用ＢＳ用のプリアンブルのためにリザーブされることができる。さらに、非再使用ＢＳのプリアンブルに割付けられた部分は、再使用ＢＳのプリアンブルに対して制限されることができる（または例えば逆に、再使用ＢＳに割付けられた資源が非再使用ＢＳに制限されるように）。従って、非再使用ＢＳ制御及び／または捕捉情報について、信号３００を監視するモバイル・デバイス（図示されない）は再使用ＢＳからの干渉なしに各信号時間フレーム３０２Ａ、３０２Ｂ、３０２Ｃの部分に注目することができる。さらに、再使用ＢＳ制御及び／または捕捉情報について信号３００を監視するモバイル・デバイスは非再使用ＢＳ専用の部分を無視することができ、潜在的に非再使用ＢＳによって引起こされた干渉を低減させる。このように、特定のＢＳのプリアンブルを無線信号３００の特定の部分（３００）に割当てることによって、少なくともプリアンブル情報の干渉は適切な環境において低減されるか、それとも除去されることができる。
【００６４】
図４へ転じると、主題開示の追加の形態による追加無線信号４００が図示される。無線信号４００は一以上の信号時間フレーム（例えば、スーパーフレーム）４０２を含むことができる。各信号時間フレーム４０２はさらにその多数の部分４０４にセグメント化されることができる。信号時間フレーム４０２の部分４０４は異なる通信情報によって各々変調されることができる。主題開示の特定の形態によると、信号時間フレーム４０２はプリアンブル情報（例えば、制御情報、捕捉情報）に指定された特定の部分（４０４）及びトラヒック情報に指定された他の部分（４０４）を持つことができる。さらに、いくつかの部分（４０４）は多数のＢＳのプリアンブル間の干渉を低減させるために特定のＢＳまたはＢＳの形式のプリアンブル情報を指定されることができる。
【００６５】
図示したように、信号時間フレーム４０４の最初の部分４０４Ａは非再使用ＢＳのプリアンブル情報に指定されることができる。このように、そのようなＢＳは少なくとも部分４０４Ａにおけるプリアンブル情報をスケジュールし、そして伝送することができる。前記に加えて、再使用ＢＳは非再使用ＢＳに指定された最初の部分４０４Ａを空白にすることができる。主題開示の特定の形態によると、指定された資源は特定の形式のＢＳについて一つのスーパーフレームから別のものに変化することができる。このように、非再使用ＢＳに指定された部分４０４Ａにおける再使用ＢＳからの干渉は低減されるか、それとも除去されることができ、そして多数のスーパーフレーム４０２にわたる多数の非再使用ＢＳからの干渉は同様に緩和されることができる。
【００６６】
主題開示の更なる形態によると、信号時間フレーム４０２（もしくは、例えば、多数のそのような信号時間フレーム４０２）の一以上の追加部分（４０４Ｂ）は少なくとも再使用ＢＳに指定されることができる。このように、例として、無線信号４００は少なくとも再使用ＢＳに指定された時間フレーム４０２ごとに一つの部分４０４Ｂ、二つの時間フレーム４０２ごとに一つの部分４０４Ｂ等を持つことができる。他の例によると、時間フレーム４０２の多数の部分（４０４Ｂ）は少なくとも再使用ＢＳに指定されることができる。再使用ＢＳに指定された部分（４０４Ｂ）の数は無線ネットワーク、そのようなネットワークのセクター／セル等々におけるそのようなＢＳの数に基づいて決定されることができる。
【００６７】
前記に加えて、少なくとも再使用ＢＳに指定された無線信号４００の部分４０４Ｂは二つ以上の周波数部分帯域にさらにセグメント化されることができる。無線ＡＮ内の異なる再使用ＢＳはプリアンブル情報を伝送するため第二部分４０４Ｂを採用してそのようなＢＳ間の干渉を低減させるために第二部分４０４Ｂの様々な周波数部分帯域４０６に（もしくは、例えば、多数のそのような部分４０４Ｂの一つに）割当てられることができる。部分帯域の割当はいくつかの方式の少なくとも一つで実施されることができる。第一に、適当な再使用ＢＳ（例えば、ＲＡ、中間電力ＧＡ、低電力ＧＡ）は例えば乱数／疑似乱数発生器を採用することによって、無線信号４００のそのような各部分４０４Ｂのランダムまたは擬似ランダムの部分帯域（もしくは、例えば、別の適切な時間に基づく部分の部分帯域（１つまたは複数））に割当てられることができる。このように、ＢＳが信号時間フレーム４０２の一つの部分帯域４０６で干渉する場合は、同じＢＳが別の信号時間フレーム（４０２）の指定された再使用ＢＳ部分４０４Ｂにおいて干渉することはありそうもない。第二に、特定のＢＳが信号時間フレーム４０２のＲＡ ＢＳ部分４０４Ｂの特定の部分帯域に割当てられるように、部分帯域の割当は事前計画された方式で実施されることができる。例えば、第二部分４０４Ｂを利用するＢＳがそのような部分４０４Ｂの部分帯域より少なく存在する場合は、そのような形態は有益であることができる。第二の実施の一つの特定の形態では、プリアンブルが無線信号４００の異なる時間フレーム（４０２）にわたって異なる資源にスケジュールされるように、事前計画された割当は動的な割当を採用することができる。第三の実施によると、部分帯域の割当は受信デバイスから取得される情報に少なくとも一部基づくことができる。例えば、二つのＢＳが特定の部分帯域上で著しく干渉することをデバイスが示す場合、確認されたＢＳは部分４０４Ｂの異なる部分帯域に、または個別の信号時間フレーム４０２の再使用ＢＳ部分４０４Ｂに割当てられることができる。
【００６８】
どちらの実施が選択されるかに拘わらず、指定されたプリアンブル資源は無線信号４００の様々な時間フレーム（４０２）に配分されることができる。このように、一つの特定の例として、一つの再使用ＢＳフレーム（４０４Ｂ）は二つの信号時間フレーム４０２毎に割当てられることができる。その上、各再使用ＢＳフレーム（４０４Ｂ）は（例えば、信号４００の総帯域幅の実質的に四分の一の）４個の異なる周波数部分帯域にセグメント化されることができる。再使用ＢＳは一つの部分帯域においてそれらのプリアンブルを全ての他の再使用ＢＳフレーム（４０４Ｂ）の各々、または無線信号４００の８個の時間−周波数セグメントの一つにスケジュールするように割当てられる。従って、特定のＢＳは四つの信号時間フレーム４０２毎に一つの再使用ＢＳフレーム（４０４Ｂ）においてそのプリアンブルを伝送するであろう。時間−周波数再使用は事前計画され、様々な時間フレーム（４０２）にわたってランダムに割当てられ、もしくは学習される（例えば、随意的に、衝突干渉が特定の閾値干渉レベル以上に上がり、ＳＮＲが閾値ＳＮＲレベル以下に落ち、経路損失が閾値経路損失レベル以上に上がる等々の場合には、受信デバイスからの衝突フィードバック情報に少なくとも一部基づいて割当てられる）。さらに、計画された／学習によるプリアンブル割当が少なくとも一つのスーパーフレーム４０２から別のものに変化するように、事前計画された及び学習による再使用は動的に割付けられることができる。
【００６９】
しかしながら、再使用ＢＳは、開示のいくつかの形態では、再使用ＢＳフレーム（４０４Ｂ）においてプリアンブルをスケジュールすることができるけれども、そのようなＢＳはまたプリアンブル情報を伝送するのにも非再使用ＢＳフレーム４０４Ａを採用することができるということが認識されるべきである。このように、そのような形態では、非再使用フレーム４０４Ａはその代りに実際に一般使用フレームである。これは支配的な干渉体が高電力マクロＢＳ（例えば、一般的に非再使用ＢＳ）である場合には有用であることができる。中間及び低電力ＧＡ ＢＳ（それは一般的に再使用ＢＳであることができる）は、上で論じた割当アルゴリズム、または同等のアルゴリズムに従って、特定の再使用フレーム（４０４Ｂ）と同様に一般使用フレーム（４０４Ａ）においてプリアンブル情報を伝送することができる。さらに他の形態によると、非再使用または一般フレーム４０４Ａではなく、ＲＡ ＢＳは再使用フレーム４０４Ｂにおいてプリアンブルを伝送することを許されることができる。このことは、受信器で観測されたように、非常に近い、且つ比較的高電力の送信器の存在において遥か遠方のマクロＢＳの検出を容易にする。
【００７０】
図５は主題開示の更なる形態による無線信号時間フレーム例５０２を示す。時間フレーム５０２は任意のＢＳによるプリアンブルの伝送（または、例えば、任意のＧＡ ＢＳによるプリアンブルの伝送）のための少なくとも一つの一般プリアンブル・フレーム５０４Ａを含むことができる。時間フレーム５０２はプリアンブルを伝送するため部分的な資源を採用してＢＳによって伝送されるプリアンブルに制限された少なくとも一つの再使用プリアンブル・フレーム５０４Ｂをさらに含むことができる。無線信号５００の他のフレームはデータ・トラヒックのために利用されることができる。開示の少なくとも一つの形態では、一般フレーム５０４Ａ及び再使用フレーム５０４Ｂの場所は（例えば、計画された方法、ランダムまたは擬似ランダム方法、学習による方法等々において）スーパーフレーム（５０２）ごとに変化することができる。
【００７１】
主題開示の少なくともいくつかの形態では、再使用フレーム（１つまたは複数）５０４Ｂは（例えば、幅が８部分帯域の）周波数部分帯域タイルのセットに細分化されることができる。部分帯域タイルは実質的に類似の帯域幅であり、もしくは帯域幅の異なるグループを持つように選択されることができる（例えば、タイルの第一サブセットは第一帯域幅を持つことができる；タイルの第二のサブセットは第二帯域幅等を持つことができる等々）。さらに、部分帯域タイルは一以上のタイル・グループ５０６Ａ、５０６Ｂ、５０６Ｃにグループ化されることができる。タイル・グループ５０６Ａ、５０６Ｂ、５０６Ｃはランダム、擬似ランダムに、そして／または所定の選択機能に従ってタイルのセットから選択されることができる。各タイル・グループ５０６Ａ、５０６Ｂ、５０６Ｃは、上で述べたように、タイルのセットから選択された二以上のタイルを含むことができる。さらに、多数の再使用フレーム（５０４Ｂ）の場合には、様々なタイルが多数のそのようなフレーム（５０４Ｂ）から選択され、信号スーパー・フレーム５０２の多数の時間フレームにわたるタイル・グループがもたらされる。そのような方法で、タイル・グループ５０６Ａ、５０６Ｂ、５０６Ｃはデータ（例えば、プリアンブル情報）を伝送するために適切な時間−周波数資源組合せを提供することができる。タイル・グループは複数の再使用時間フレームからタイルを整合することから構成されることができるが、その必要はないことを認識すべきである。このように、一つの例では、二以上のそのような時間フレームの各々からの第一、第三及び第五（またはいくつかの他の組合せ）タイルはタイル・グループを含むことができる。別の例では、第一時間フレームからの第一、第三及び第五タイルは適切なタイル・グループを形成するために一以上の他の再使用時間フレームからの第十タイル（または第一及び他の再使用時間フレームからのいくつかの他のタイルのサブセット）と結合されることができる。
【００７２】
開示のさらなる形態によると、一以上のＢＳはプリアンブル情報の伝送のために少なくとも一つのタイル・グループ５０６Ａ、５０６Ｂ、５０６Ｃを選択することができる。例えば、第一ＢＳはタイル・グループ１５０６Ａを選択し、そして第二ＢＳはそのようなＢＳと関連する信号プリアンブルの伝送のためにタイル・グループ２５０６Ｂを選択することができる。選択はランダムまたは擬似ランダムであり（例えば、乱数または疑似乱数発生器に基づき）、特定のアルゴリズムに従って計画され、或いはプリアンブル衝突を緩和するために衝突フィードバック情報に基づくことができる。さらに、ＢＳのタイル・グループの選択が無線信号５００の一つのスーパーフレーム（５０２）から別のスーパーフレーム（５０２）に変化することができるように、選択はここに述べたように動的割付けを採用することができる。
【００７３】
上記にさらに、全ての信号プリアンブルの全てまたは一部分は選択されたタイル・グループ５０６Ａ、５０６Ｂ、５０６Ｃの各タイルにおいて伝送されることができるということを認識すべきである。このように、ＢＳはグループ５０６Ａ、５０６Ｂ、５０６Ｃのタイルにおいて制御チャネル情報を伝送することができる。代りに、もしくはその上、ＢＳはタイル・グループ５０６Ａ、５０６Ｂ、５０６Ｃのタイルにおいて同期化信号を伝送することができる。プリアンブル情報、またはそのような情報のサブセットをタイル・グループ５０６Ａ、５０６Ｂ、５０６Ｃの多数のタイルにおいて伝送することによって、支配的干渉する送信器の影響は緩和されることができる。特定の例として、支配的干渉体（interferer）がタイル・グループ５０６Ａ、５０６Ｂ、５０６Ｃの一つのタイル上で伝送ＢＳと衝突するならば、別のそのようなタイルは支配的干渉体からの干渉を低減していたか、干渉がなかったということが有り得る。従って、受信デバイス（例えば、モバイル端末）はタイル・グループ５０６Ａ、５０６Ｂ、５０６Ｃの少なくとも一つのそのようなタイル上で伝送ＢＳから信号を捕捉することができる。
【００７４】
図６は主題開示の追加形態による例無線信号時間フレーム６０２を例示する。図４ ４０２（上記）に例示した信号時間フレームと同様に、信号時間フレーム６０２は信号時間フレーム６０２のいくつかの小さな時間準拠部分４０４（例えば、フレーム）を含む。信号時間フレーム６０２の第一部分６０４Ａは、ここに述べたように、任意の適切なＢＳのプリアンブル情報、またはＧＡ ＢＳのような一般形式のＢＳの専用であることができる。さらに、信号時間フレーム６０２の（または、例えば、二つの信号時間フレーム６０２毎の一つの部分６０４Ｂ等々といった、多数のそのような信号時間フレーム６０２の）第二部分（１つまたは複数）６０４Ｂは再使用ＢＳ（例えば、マイクロ・セル、ピコ・セル、フェムト・セル等）のプリアンブル情報の専用であることができる。その上、マクロ・セルＢＳは第二部分６０４Ｂを空白にすることができる。随意的に、ＲＡ ＢＳは第一部分６０４Ａを空白にすることができる。そのような配置において、少なくともマクロ及びＲＡ ＢＳのプリアンブル干渉はそれぞれの時間フレーム６０４Ａ、６０４Ｂを空白にすることによって低減もしくは除去されることができる。
【００７５】
前記に加えて、信号時間フレーム６０２の第二部分６０４Ｂは周波数部分帯域にさらに分割されることができる。適用可能な再使用ＢＳ（例えば、ＲＡ ＢＳ、中間電力ＧＡ ＢＳ、低電力ＧＡ ＢＳ）はここに述べるように一以上の信号時間フレーム６０２の少なくとも一つのそのような周波数部分帯域においてプリアンブル情報の少なくとも一部分を伝送することができる。主題開示の少なくとも一つの形態では、再使用ＢＳは再使用時間フレーム６０４Ｂの少なくとも一つの周波数部分帯域に同期化信号をスケジュールすることができる。そのような部分帯域及び／または第二部分（１つまたは複数）６０４Ｂの割当は計画され、またはランダム／擬似ランダムであることができ、或いは無線ＡＮのＢＳによってサービスされるモバイル・デバイスの衝突フィードバック情報、またはその組合せに基づいて学習されることができる。従って、第二部分（１つまたは複数）６０４Ｂを採用するＢＳは様々な部分帯域によって周波数で、或いは明確な信号時間フレーム６０２により分離された部分６０４Ｂによって時間で、または両方で分離されることができ、ＲＡ及び／または中間−低電力ＧＡ ＢＳの干渉を低減させる。
【００７６】
前記に加えて、再使用時間フレーム６０４Ｂの周波数部分帯域はさらに、図５（上記）で論じたように、周波数副搬送波・タイルのセットに細分化されることができる。タイルのセットのサブセットを含む一以上のタイル・グループが確立されることができる。そのようなタイル・グループはここに述べたように（例えば、擬似ランダムに、選択関数等に基づいて）決定されることができる。いくつかの形態では、タイルは共通周波数部分帯域の中でグループ化される。他の形態では、タイルは周波数部分帯域にわたってグループ化される。さらなる形態によると、再使用ＢＳの制御チャネル情報（例えば、Ｆ−ＰＢＣＣＨ、Ｆ−ＳＢＣＣＨ、Ｆ−ＱＰＣＨ情報）は少なくとも一つのタイル・グループの各タイルにスケジュールされることができる。このように、そのような形態では、タイル・グループの任意の適切なタイルは制御チャネル情報を搬送することができる。さらなる形態によると、タイルは一以上のタイルにおける支配的干渉の影響を低減させるためにランダムに／擬似ランダムにグループ化されることができる。グループ化のためにランダムに／擬似ランダムに選択されたタイルを採用することによって、タイルのサブセットが支配的干渉を経験するならば、一以上の他のタイルは制御チャネル情報を提供することができる。
【００７７】
特定の例として、再使用ＢＳはプリアンブル情報の一部分を再使用時間フレーム６０４Ｂの周波数部分帯域にスケジュールし、そしてプリアンブル情報の別の部分を選択されたタイル・グループにスケジュールすることができる。さらに特定の例として、同期化情報（例えば、一次同期化系列［ＰＳＣ］、二次同期化系列［ＳＳＣ］、ＵＭＢシステムのＴＤＭ同期化コード等）は、上で論じたように、再使用フレーム（６０４Ｂ）の一つの周波数部分帯域にスケジュールされることができ、一方、制御チャネル情報は選択されたタイル・グループにスケジュールされることができる。そのような配置は無線信号のプリアンブル・データに追加ダイバシティを提供する。
【００７８】
一以上の他の形態によると、各セクター／ＢＳは制御チャネル情報を送るためにランダムに／擬似ランダムに選択されたタイル・グループを採用する。異なるセクターが独立したタイル・グループを採用するので、支配的干渉体はいくつかのタイル上の弱いセクターと衝突するであろうが、全てのタイル上で衝突することはない。高い確率で、いくつかのタイルは支配的干渉がないであろう、そして制御チャネル情報は成功裡に復号されることができる。その上、各タイルは受信デバイスがそのタイル上でチャネル及び干渉値を決定することを可能にするためにタイルのパイロット情報を運ぶことができる。いくつかの形態では、衝突及び／または干渉情報は衝突しているＢＳを異なるタイル・グループに明確に分離することができる干渉低減装置（図示されないが、図２の２０２参照（上記））に折返し報告されることができる。信号時間フレーム６０２の一部分６０４Ｂに採用されるタイルのサイズ（例えば、帯域幅）、数またはパイロット位置は（例えば、現行の無線ＡＮ条件に関して）さらなる最適化に基づいて変化にしたがうことができるということを認識すべきである。
【００７９】
図７は主題開示のまだ他の形態による無線信号例７００を例示する。特に、無線信号７００はそのような無線信号７００の一つのインターレース７０２を図示する。異種ＡＰ環境における特定の形式のＢＳの無線信号（７００）の特定の部分（７０４）を指定する一つの潜在的な問題は一以上のそのような部分（７０４Ｂ）を空白にすることをＢＳに要求することに起因する。例えば、ここに述べたように、マクロＢＳは再使用ＢＳ、ＲＡ ＢＳ等々のプリアンブル情報専用の無線信号７００の部分（７０４Ｂ）を空白にすることを要求されることができる。このことは自動繰返し再要求（Automatic Repeat reQuest：ＡＲＱ）機能（または、例えば、混成（hybrid）ＡＲＱ［ＨＡＲＱ］）といった、マクロＢＳの或る時系列準拠（timeline・based）機能の中断をもたらす可能性がある。このように、マクロＢＳはそのようなフレームにおいてＲＬトラヒックの割当または承認機能をスケジュールすることができない。この問題に取組むために、マクロＢＳがプリアンブル情報（例えば、二つのＧＡ ＢＳフレームまたは一般ＢＳフレーム７０４Ａ）を伝送することができる二つのフレームは無線信号７００の共通インターレース７０２に関して共にグループ化されることができる。例えば、８個のインターレースを持つＵＭＢシステムの場合は、二つのそのようなマクロＢＳ（７０４Ａ）は７個の介在フレームによってグループ化されることができる。フレーム７０４ＡはマクロＢＳによって共に割当／承認されることができる。従って、空白にされたフレーム（例えば、７０４Ｂ）の前の割当フレームは二つのＲＬフレームへ適用し、そして空白にされたフレーム（７０４Ｂ）の後の割当フレームは追加の二つのＲＬフレームへ適用することができる。従って、時系列準拠機能は空白にされたフレーム（１つまたは複数）（７０４Ｂ）による重大な干渉なしでマクロＢＳによって実行されることができる。
【００８０】
追加の形態によると、信号プリアンブル情報専用の信号７００の部分（７０４Ａ、７０４Ｂ）は「アイドル（idle）」受信デバイス（例えば、モバイル・デバイス）の処理を低減するように編成されることができる。例えば、ハンドオフ操作を実施するために、一般的にモバイル・デバイスは近隣ＢＳ（例えば、図２（上記）参照）の信号を定期的に探索しなければならない。モバイル・デバイスは一般的にアクティブとなるか、または「アイドル」モードを去る、そして一以上の近隣のＢＳと同様にサービングＢＳの受信プリアンブルを処理する。現在の文脈では、これはＲＡ ＢＳによって利用される一以上のプリアンブル部分と同様にマクロＢＳによって利用されるプリアンブル信号部分を含むことができるであろう。このように、例として、マクロＢＳのプリアンブルが信号時間フレーム（例えば、スーパーフレーム）の第一部分（例えば、フレーム）でスケジュールされ、そしてＲＡ ＢＳのプリアンブルが信号時間フレームの中間部分でスケジュールされる場合は、モバイル・デバイスは信号時間フレームごとに少なくとも二度ウェイクアップする必要があり、モバイル・デバイスにおける処理電力及び電力消費を増大させる。主題開示の少なくとも一つの形態によると、一つのＢＳまたはＢＳ形式にリザーブされる信号の第一部分（７０４Ｂ）は別のＢＳまたはＢＳ形式にリザーブされる信号７００の別の部分（７０４Ａ）と連続して置かれることができる。その上、第一信号時間フレームは信号時間フレームの終端部分で伝送されたプリアンブルを持つことができ、そして次の信号時間フレームはそのような時間フレームの始まり部分で伝送されたプリアンブルを持つことができる。このように、モバイル・デバイスは、平均して、プリアンブル情報を信号時間フレームごとに一度アクティブに処理することができ、そして信号時間フレームの残りでは「アイドル」に留まり、そのようなデバイスの明確なウェイクアップの回数を最小化する。
【００８１】
図８は主題開示の形態による基地局８０２及び一以上のＡＴ８０４（例えば、モバイル・デバイス）を含むシステム例８００のブロック図を示す。基地局８０２は基地局８０２の伝送電力（例えば、マクロＢＳ、高電力、中間電力、低電力）、再使用形式（例えば、非再使用、再使用）及び／またはアクセス形式（例えば、ＧＡ ＢＳ）に従ってプリアンブルスケジューリングを管理することによって無線ＡＮについて干渉を低減させるように構成されることができる。ここに述べるように、基地局８０２は無線信号のプリアンブル情報を無線信号の一以上の選択された部分の中へスケジュールするように構成されることができる。さらに、基地局８０２は特定のチャネル資源上の他の基地局（図示されない）プリアンブルとの衝突を低減させるために、いくつかの形態に従って、無線信号の多数のスーパーフレーム／サイクルにわたって動的割付け（例えば、ランダム／擬似ランダムスケジューリング及び／またはフィードバック準拠スケジューリング）を採用することができる。
【００８２】
基地局８０２（例えば、アクセスポイント、・・・）は一以上のアンテナ８０６を経由して一以上のＡＴ８０４から信号（１つまたは複数）、及び無線（over・the・air：ＯＴＡ）メッセージを受信する受信器８１０、及び変調器８３０によって提供された符号化／変調ＯＴＡメッセージを一以上のＡＴ８０４へ送信アンテナ（１つまたは複数）８０８を経由して伝送する送信器８３２を含むことができる。受信器８１０は受信アンテナ８０６から情報を受取ることができ、そしてさらにＡＴ（１つまたは複数）８０４によって伝送された上りリンクデータを受取る信号受信部（示されない）を含むことができる。その上、受信器８１０は受信情報を復調する復調器８１２と動作可能に関連する。復調シンボルはプロセッサー８１４によって分析される。プロセッサー８１４は基地局８０２よって提供された機能に関係する情報を格納するメモリー８１６に接続される。一例では、格納情報は無線信号を構文解析し、且つ順方向リンク（ＦＬ）及び逆方向リンク（ＲＬ）伝送を信号の一以上の時間及び／または周波数の細分割にスケジュールするためのプロトコルを含むことができる。特に、ここに述べたように、格納情報はプリアンブル情報を無線信号のランダムまたは所定の部分の中へスケジュールし、無線信号の一以上の他の部分を空白にし、ＡＴ（１つまたは複数）８０４から信号衝突情報を取得し、ランダム及び／または学習によるスケジューリングまたは同様なものに基づいて追加衝突を回避するため等々の規則を含むことができる。
【００８３】
いくつかの形態によると、プロセッサー８１４は基地局８０２の信号プリアンブルを信号時間フレームの第一部分の中にスケジュールすることができる信号パーサ８１８に接続されることができる。その上、信号パーサ８１８は基地局８０２と比較すると異種の形式の基地局にリザーブされた信号時間フレームの第二部分を空白にし、或いはその中へ情報をスケジュールしないことができる。例えば、基地局８０２がマクロＢＳである場合には、再使用ＢＳ専用の信号の部分（１つまたは複数）は空白にされることができる。別の例では、基地局８０２がＲＡ ＢＳである場合には、ＧＡ ＢＳ専用の信号の部分（１つまたは複数）は空白にされることができる。代りに、もしくはそれに加えて、基地局８０２が中間電力または低電力ＧＡＢＳである場合には、基地局８０２はＧＡ ＢＳ専用の部分（1つまたは複数）、ＲＡ ＢＳ専用の部分（1つまたは複数）、または両方においてプリアンブルをスケジュールすることができる。前記に加えて、ここに述べたように、基地局８０２は信号プリアンブルを信号の二以上のスーパーフレーム／サイクルの異なる資源に動的に割付けることができる。
【００８４】
プロセッサー８１４はさらに、信号資源のセットのサブセットをリザーブするタイミング分割モジュール８２０に接続されることができ、そしてサブセットの資源から非再使用プリアンブルスケジューリングを制限する。このように、基地局８０２が高電力非再使用送信器（例えば、マクロＢＳ）である場合には、タイミング分割モジュール８２０はリザーブされた時間フレームのサブセットにおいてプリアンブル信号をスケジュールすることから信号パーサ８１８を制限することができる。いくつかの形態によると、タイミング分割モジュール８２０は複数の時間フレームをＲＡ ＢＳの、そして、随意的に、低電力または中間電力ＧＡ ＢＳの、一以上のスーパー−フレームの各々に提供する。例として、タイミング分割モジュール８２０は４個のスーパーフレーム毎に二つの時間フレームを提供し、そしてそのような時間フレームを再使用ＢＳに指定することができる。そのような情況では、基地局８０２がＲＡ ＢＳもしくは低／中間電力ＢＳである場合には、信号パーサはＡＴ（１つまたは複数）８０４においてプリアンブルの周波数感度低下を制限するためにプリアンブルを二つ以上の提供された時間フレームの中にスケジュールすることができる（例えば、二つの明確な時間にプリアンブルを伝送することによって、別のＢＳとの共通の時間における衝突の可能性は低減される可能性がある）。基地局８０２が高電力ＢＳである場合には、タイミング分割モジュール８２０はそのような時間フレームにプリアンブルをスケジュールすることから信号パーサ８１８を制限し、少なくとも提供された時間フレームに関して、そのような高電力ＢＳと他のＢＳとの間で干渉を低減させる。
【００８５】
前記に加えて、基地局８０２が無線信号の一以上の資源を空白にする場合には、タイミング分割モジュール８２０はそのような信号の共通インターレースの二つの時間フレームをグループ化することができる。信号パーサ８１８はプリアンブル情報をグループ化時間フレームの中へ伝送することができる。さらに、時系列準拠機能（例えば、ＡＲＱまたはＨＡＲＱ機能）の連続性を維持するために、信号パーサはさらに割当情報をグループ化時間フレームに先行する時間フレームの中へ、そして承認情報をグループ化時間フレームに続く時間フレームの中へスケジュールすることができる。
【００８６】
一以上の他の形態によると、プロセッサー８１４はさらに周波数分割モジュール８２２に接続されることができる。周波数分割モジュール８２２は、無線信号の少なくとも一つの資源を複数の周波数部分帯域に分割することができる。周波数部分帯域の一つは信号パーサ８１８によるプリアンブルスケジューリングのために利用されることができる（例えば、基地局８０２が再使用ＢＳである場合）。一以上の形態によると、信号パーサは様々なスケジューリングアルゴリズムに従ってプリアンブル情報を多数の信号スーパーフレーム／サイクルの周波数部分帯域の中にスケジュールすることができる。例えば、そのようなスケジューリングは、時間フレームの特定の部分帯域が利用されるように、計画され、信号スーパーフレーム／サイクルの（または、例えば、多数のスーパーフレーム／サイクルの一つの）ランダムまたは擬似ランダム部分帯域が利用されるように、ランダム化され、或いは部分帯域がＡＴ（１つまたは複数）８０４からの衝突フィードバック情報に基づいて他の基地局との衝突を低減させるように、学習されることができる。基地局８０２はプリアンブルの同期化情報をさらにスケジュールすることができる同期化モジュール８２４をさらに含む。例えば、ＰＳＣまたはＳＳＣ、または同等の同期化パイロット信号はそのような部分帯域によって提供されたいくつかまたは全ての帯域幅を利用して、一つの周波数部分帯域の中にスケジュールされることができる。その上、同期化情報はＡＴ（１つまたは複数）８０４における信号感度低下の可能性を低減させるためにタイミング分割モジュール８２０によって提供された異なる時間フレームへスケジュールされることができる。
【００８７】
少なくとも一つの他の形態によると、ここに述べたように、基地局８０２はさらに信号資源（例えば、時間フレームの一以上の周波数部分帯域）を周波数副搬送波タイルのセットの中に細分化するタイリング（tiling）モジュール８２６を含む。副搬送波タイルはタイリングモジュール８２６によってタイル・グループにグループ化されることができる。制御スケジュールモジュール８２８はプリアンブルの制御チャネル情報を選択されたタイル・グループのタイルの中にランダムに／擬似ランダムにスケジュールすることができる。このように、ＡＴ（１つまたは複数）８０４が（例えば、そのようなタイルにおける支配的干渉体の結果として）制御チャネル情報を取得するために一つのタイルを復調することができない場合には、別のそのようなタイルがそのような情報を取得するために走査されることができる。ランダムに／擬似ランダムにグループ化されたタイルを採用することによって、重大な干渉が基地局８０２のプリアンブル情報専用の時間フレームの部分において発生する場合でさえも、制御チャネル情報を復号する高い可能性（確率）が存在する。
【００８８】
図９は無線ＢＳの検出のために構成されることができるＡＴ（例えば、ＵＴ）９０２を含むシステム例９００のブロック図を例示する。ＡＴ９０２は無線ＡＮの一以上のそのような基地局９０４（例えば、アクセスポイント）と無線で接続するように構成されることができる。当技術分野において知られているように、ＡＴ９０２はＦＬチャネル上でＯＴＡメッセージを基地局９０４から受取り、そしてＲＬチャネル上でＯＴＡメッセージによって応答することができる。その上、ＡＴ９０２は基地局９０４の形式（例えば、伝送電力、アクセス形式、再使用形式）に基づいて、または単に基地局９０４のＩＤに基づいて、無線信号の選択された部分を走査することによって基地局９０４により伝送されたプリアンブル情報を取得することができる。例えば、ここに述べたように、ＡＴ９０４は、基地局９０４が高電力送信器であるならば無線信号の一つの部分を走査し、基地局９０４が再使用送信器（例えば、中間／低電力送信器またはＲＡ送信器）であるならば無線信号の異なる部分を走査することができる。
【００８９】
ＡＴ９０２は信号（例えば、無線ＯＴＡメッセージ）を受信する少なくとも一つのアンテナ９０６（例えば、伝送受信器または入力インタフェースを含むそのような受信器のグループ）及び受信信号について一般的な行為（例えば、濾波、増幅、下位変換等）を行う受信器（１つまたは複数）９０８を含む。少なくともいくつかの形態によると、プロセッサー（１つまたは複数）９１２は復調器９１０から受取った信号の部分を選択的に分析し、そして選択された基地局（９０４）または基地局の形式に関係する同期化及び／または制御情報を取得することができる。一般に、アンテナ９０６及び送信器９２８（まとめて送受信器と云われる）は基地局（１つまたは複数）９０４との無線データ交換を容易にするために構成される。
【００９０】
アンテナ９０６及び受信器（１つまたは複数）９０８はまた受信シンボルを復調し、そしてそれらを評価のためにプロセッサー９１２（１つまたは複数）へ提供することができる復調器９１０と接続されることができる。プロセッサー（１つまたは複数）９１２はＡＴ９０２の一以上の要素（９０６、９０８、９１０、９１４、９１６、９１８、９２０、９２２、９２４、９２６、９２８）を制御し、且つ／または参照することができることを認識すべきである。さらに、プロセッサー（１つまたは複数）９１２はＡＴ９０２の機能を実行することに関係する情報または制御を含む一以上のモジュール、アプリケーション、エンジン等（９１４、９１８、９２０、９２２、９２４）を実行することができる。例えば、ここに述べたように、そのような機能は制御／同期化情報に関する受信無線信号を走査することを含むことができ、そのような信号を伝送する基地局（９０４）を確認し、干渉及び／または干渉している基地局（９０４）を決定し、信号の一部分に観測された衝突、または同様な操作を報告する。
【００９１】
ＡＴ９０２はさらにプロセッサー（１つまたは複数）９１２に動作可能に接続されたメモリー９１４を含むことができる。メモリー９１４は伝送され、受信される等々のデータ、そして遠隔デバイス（９０４）との無線通信を行うのに適切な命令を格納することができる。さらに、メモリー９１６は上でプロセッサー（１つまたは複数）９１２によって実行されるモジュール、アプリケーション、エンジン等（９１４、９１８、９２０、９２２、９２４）を格納することができる。いくつかの形態によると、アンテナ（１つまたは複数）９０６は少なくとも第一及び第二の時間サイクルを含む基地局９０４からの無線通信信号を取得することができる。プロセッサー（１つまたは複数）９１２は第一サイクルの一つの資源（例えば、時間、周波数、シンボル及び／またはコード分割）から、そして第二時間サイクルの異なる資源から（例えば、そのようなサイクル資源のプリアンブル再使用に基づいて）信号プリアンブルを取得することができる。他の形態によると、プロセッサー（１つまたは複数）はさらに中間から低電力送信器、高電力送信器、ＧＡ送信器またはＲＡ送信器、のプリアンブル・データ、またはそれらの組合せを取得するために無線信号の第一または第二の時間サイクルの少なくとも一つの追加の資源を走査することができる。少なくとも一つの追加資源は信号の個別時間フレームにおけるプリアンブル情報を繰返すことによって、受信器（例えば、９０８）における信号感度低下を低減させるために基地局９０４によって利用されることができる。
【００９２】
追加の形態によると、プロセッサー（１つまたは複数）９１２は信号プリアンブルまたはその一部を確認し、且つ取得するために、時間フレームの一以上の周波数部分帯域（または、例えば、他の資源）、または時間フレームの全ての周波数部分帯域（または他の資源）を走査することができる。例えば、選択された資源の走査はプリアンブルの計画された再使用に関して採用され、そしてそのような全部分帯域はプリアンブルのランダム／擬似ランダム再使用に関して採用されることができる。さらなる形態によると、ＩＤモジュール９１８は時間フレームの特定の資源からサービング基地局９０４の識別（identifying）情報を取出すことができる。識別情報は、例えば、資源として伝送された一以上の同期化パイロットにおいて提供されることができる。基地局再使用モジュール９２０は（例えば、静的に多数の信号スーパーフレーム／サイクルにわたって割付けられるか、動的にそのようなスーパーフレーム／サイクルにわたって割付けられるか否かに拘らず）基地局９０４による計画された周波数／時間フレーム再使用と連係してサービングＢＳを特定の資源と関連させることができる。そのような形態では、プロセッサー（１つまたは複数）９１２はサービング基地局９０４によって提供されるプリアンブル情報をさらに取得するために基地局９０４で起源される次の信号スーパーフレーム／サイクルの特定資源または指定資源を走査することができる。
【００９３】
前記に加えて、ＡＴ９０２は基地局９０４のプリアンブルを含む無線信号資源上で信号干渉を検出する干渉モジュール９２２を含むことができる。衝突報告モジュール９１４はプリアンブル衝突が発生したことを示すＲＬメッセージを始めることができる。いくつかの形態では、ＲＬメッセージは干渉信号（１つまたは複数）を分析することによって、特定の資源（例えば、周波数部分帯域時間フレームまたはサブスロット、コード、ＯＦＤＭシンボル等）及び／または干渉基地局（１つまたは複数）のＩＤを確認することができる。基地局９０４が次の伝送において干渉基地局（１つまたは複数）として異なる信号資源上でそのプリアンブルをスケジュールする場合には、衝突報告は学習による再使用と連動して利用されることができる。
【００９４】
まだ他の形態によると、ＡＴ９０２はアンテナ９０６で受信された無線信号の少なくとも一つの資源（例えば、周波数部分帯域）を多数の周波数部分帯域タイルへ構文解析するタイリングモジュール９２４を含むことができる。タイリングモジュール９２４はさらに共通基地局９０４の信号を含む二以上の周波数タイルを適合（match）させる。適合された周波数タイルはプロセッサー（１つまたは複数）９１２に送られ、それは一以上の適合タイルから基地局９０４によって提供された制御チャネル情報を取出すことができる。プリアンブル時間フレームの様々な部分帯域にわたって重大な干渉が観測される場合には、そのような配置は有益である。一つのタイル上の制御チャネルが復調されることができない場合は、異なる一つの適合タイルがそのような情報を復調しようと試みるために分析されることができる。従って、ここに述べたように、重大な干渉復元力がＡＴ９０２によって提供されることができる。
【００９５】
前述のシステムはいくつかの要素（コンポーネント）、モジュール及び／または通信インタフェースの間の相互作用に関して述べられてきた。そのようなシステム及び要素／モジュール／インタフェースはそれらの要素またはそこに指定された部分要素、いくつかの指定された要素または部分要素、及び／または追加の要素を含むことができるとういうことを認識すべきである。例えば、システムはフェムト基地局２０４Ａ、マクロ基地局２０４Ｃ、及び衝突モジュール９１４、ＩＤモジュール９１８及び再使用モジュール９２０、またはこれら及び他の要素の異なる組合せを含むモバイルデバイス９０２、を含むことができるであろう。部分要素はまた親要素の中に含まれるというよりはむしろ他の要素と通信的に接続される要素として実施されることができるであろう。その上、一以上の要素は集合体機能性を提供する単一の要素に結合されることを注目すべきである。例えば、タイミング分割モジュール８２０は単一要素として無線信号の時間及び周波数要素を構文解析するのを容易にするために周波数分割モジュール８２２を含みことができ、または逆も然りである。それらの要素はまた明確にここに記載されないが当業者に知られている一以上の他の要素と相互作用する。
【００９６】
さらに、認識されるように、上記の開示システム及び下記の方法の様々な部分は人工知能または知識または規則準拠の要素、部分要素、処理（プロセス）、手段、方法論、または機構（メカニズム）を含む、または、これらから構成される（例えば、ベクトル・マシン、ニューラル・ネットワーク、エクスパート・システム、ベイズ信念ネットワーク、ファジー論理、データ融合エンジン、分類子、・・・を支援する）。そのような要素は、とりわけ、そしてここに既に述べたものに加えて、それによって実行される或る機構（メカニズム）または処理（プロセス）を自動化することができ、システム及び方法の部分をさらに適応させ、また効率的且つ知的にする。
【００９７】
上記に記述した典型的なシステムを考慮して、主題開示に従って実行される方法論は図１０〜１３のフロー・チャートを参照してさらによく理解されるであろう。説明を簡単にする目的のために、方法論は一連のブロックとして示され、且つ記述されるが、いくつかのブロックはここに図示され、且つ記述される他のブロックと異なる順序及び／または同時に起こるので、要求された主題事柄はブロックの順序によって制限されないということが理解され認識されるべきである。さらに、必ずしも全ての例示ブロックはこれ以降に開示される方法論を実行することを要求されるとは限らない。その上、これ以降及びこの明細書（仕様）を通して開示された方法論はそのような方法論をコンピューターへ輸送及び移動するのを容易にするために製造物（article of manufacture）に格納できることをさらに理解すべきである。使用される、用語「製造物」は任意のコンピューター可読デバイス、搬送波と連動するデバイス、記憶メディアからアクセス可能なコンピューター・プログラムを包含することを意味する。
【００９８】
図１０は無線ＡＮにおけるＡＰ検出を可能にするための方法論例１０００のフロー・チャートを例示する。１００２では、方法１０００は無線信号について信号資源のセットを確立することができる。それらの資源は時間フレーム及び／または時間サブスロット、周波数部分帯域、周波数副搬送波・タイルまたはその組合せであることができる。
【００９９】
１００４では、方法１０００は捕捉パイロットを無線信号にスケジュールするために再使用を採用することができる。特に、捕捉パイロットは無線信号の第二サイクルと比較すると第一サイクルにおいて異なる信号資源にスケジュールされることができる。第一及び第二のサイクルが無線信号の連続したサイクルである必要はないことを認識すべきである。むしろ、そのようなサイクルは連続であることができ、一以上の他のサイクルによって分離されることができ、期間（period）サイクル、または選択機能（例えば、ランダム機能、擬似ランダム機能、フィードバック準拠機能、または無線信号の資源を選択するための他の適当な機能）に基づいて選択されたサイクルであることができる。
【０１００】
１００６では、方法１０００は制御チャネル情報を無線信号にスケジュールする際にランダム、擬似ランダム、また学習による再使用を採用することができる。制御チャネル情報のランダム、擬似ランダムまたは学習による再使用は参照番号１００４における捕捉パイロットをスケジュールするための再使用の代りに、もしくはそれに加えて利用される。前記に加えて、捕捉パイロットまたは制御チャネル情報のために利用される資源は特定のＢＳのために、もしくは特定形式（例えば、アクセス形式、再使用形式、伝送電力形式等々）のＢＳのためにリザーブされることができる。例えば、無線信号の一以上の資源は再使用ＢＳ、ＧＡ ＢＳ、低／中間電力ＢＳ等々のためにリザーブされることができる。無線信号がその資源がリザーブされる指定されたＢＳによって伝送されるならば、指定されたＢＳはパイロット／制御情報をスケジュールすることにおいてそのような資源を採用することができる。他の場合は、ＢＳまたはＢＳの形式（例えば、マクロＢＳ）は異種ＢＳ／ＢＳの形式（例えば、再使用ＢＳ）のためにリザーブされた資源を空白にすることを要求されることができ、その資源上の制限及び非制限ＢＳに少なくとも関してプリアンブル情報の干渉を著しく低減させる。従って、受信デバイスはリザーブされたＢＳ／ＢＳ形式のプリアンブル情報を取得するために資源を分析することができる。
【０１０１】
信号資源は信号の他の資源とは（例えば、時間において、周波数において等）異なることを認識すべきである。さらに、ＢＳはＢＳの範囲内で適切に構成された端末へ無線アクセスを供給する任意の適切なＢＳを含むことができるということを認識すべきである。そのようなＢＳはセル基地局（例えば、進化（evolved）基地局［ｅＢＳ］、ｅノードＢ等々）、マイクロ波アクセス（ＷｉＭＡＸ）アクセスポイントの無線相互運用性等を含むことができる。述べてきたように、方法１０００は、プリアンブルを二以上の信号スーパーフレーム／サイクルの様々な資源に動的に割付けることによって、そして随意的に異種のＢＳまたは異種のＢＳ形式についてリザーブされた一以上の部分を空白にすることをＢＳに要求することによって、同種のＢＳネットワークにおいてさえも著しく低減された干渉を提供することができる。
【０１０２】
図１１はここに開示された一以上の形態に従って干渉を減少させるプリアンブルスケジューリングのための方法論例1100のフロー・チャートを示す。１１０２では、ここに述べたように、方法１１００は無線信号の多数のサイクルにわたるプリアンブルスケジューリングのために動的な資源割付を提供することができる。１１０４では、方法１１００は無線信号の連続時間フレームにおいて連続信号サイクルの二つのプリアンブル資源をスケジュールすることができる。例えば、連続スケジューリングは（例えば、ハンドオフ決定と共に）多数のＢＳのプリアンブル情報を観測するモバイル・デバイスのウェイクアップ・インスタンス(wake-up instances)の数を低減させることができる。１１０６では、方法１１００は異種のＢＳまたは異種のＢＳ形式タイプについてリザーブされた資源を空白にすることができる。１１０８では、方法１１００は再使用ＢＳのプリアンブルスケジューリングのためにその無線信号の、または次の無線信号（１つまたは複数）の追加の時間フレームを提供することができる。ここに述べたように、追加の時間フレームはプリアンブル再使用を採用するＲＡ ＢＳ及び低または中間電力ＧＡ ＢＳによって利用されることができる。いくつかの形態によると、無線信号の資源（１つまたは複数）は非再使用ＢＳのために、もしくはＧＡＢＳの一般スケジューリングのために提供されることができる。さらに、１１１０では、方法１１００は追加の時間フレームを周波数部分帯域に細分化することができる。１１１２では、方法１１００は非再使用ＢＳ（例えば、マクロＢＳ）において追加の時間フレーム及び周波数部分帯域を空白にすることができる。１１１４では、方法１１００は再使用ＢＳ（例えば、ＲＡ ＢＳ、マイクロＢＳ、ピコＢＳ、フェムトＢＳ等）の同期化信号について時間及び／または周波数再使用を採用することができる。そのような再使用は計画され、ランダム／擬似ランダム的であることができ、そして／または一以上の端末によって提供される衝突フィードバックに基づく。１１１６では、方法１１００は再使用ＢＳによる制御チャネル情報のスケジューリングのために追加の時間フレーム及び／または周波数部分帯域の多数の周波数副搬送波タイルを生成することができる。タイルは一以上の周波数タイルにおける支配的干渉を緩和するのを助けるため、制御チャネル情報の繰返しについて（例えば、ランダムに／擬似ランダムに）共にグループ化されることができる。１１１８では、方法１１００はＢＳの時系列準拠機能を維持するために共通のインターレースの二つの空白にされた時間フレームをグループ化することができる。例えば、割当情報はグループ化時間フレームの前にスケジュールされることができ、一方、承認情報はグループ化時間フレームに続いてスケジュールされることができる。
【０１０３】
図１２は無線ＡＮにおけるＢＳを検出するためのサンプル方法論１２００のフロー・チャートを例示する。１２０２では、方法１２００は無線信号を取得することができる。無線信号は少なくとも第一時間サイクル及び第二時間サイクルを含むことができる。時間サイクルは、当技術分野において知られているように、さらに無線信号の、時間、周波数及び／またはコード準拠資源のセットに分割されることができる。１２０４では、方法１２００は第一時間サイクルの一つの資源から、そして第二時間サイクルの異なる資源から捕捉パイロットを取得することができる。１２０６では、方法１２００は無線信号から制御チャネル情報を取得するためにランダム、擬似ランダムまたは学習による再使用機能を採用することができる。制御チャネル情報を取得することは参照番号１２０４における捕捉パイロットを取得することの追加、もしくはその代わりであることができる。
【０１０４】
いくつかの形態では、無線信号に含まれるデータは捕捉パイロットまたは制御チャネル情報が無線信号の中でスケジュールされる場所（例えば、一以上の信号時間フレーム、サブフレーム、周波数部分帯域、複数の周波数タイルまたはタイル・グループ、コードまたはサブコード、ＯＦＤＭシンボル、または他の信号資源）を指定することができる。従って、そのような形態では、パイロット／制御情報はそのようなデータを復号し、そして利用することによって取得されることができる。他の形態では、資源は特定のＢＳまたは特定の形式のＢＳについてリザーブされることができる。従って、方法１２００は所望の基地局信号の形式に応じて、基地局のプリアンブル情報について無線信号の異種の資源を分析するために提供する。このように、干渉の著しい低減は異種及び／または半分計画されたまたは計画されていない無線ＡＮにおいて達成されることができ、そのような環境において無線通信の信頼性を増大させる。
【０１０５】
図１３は開示された形態により無線受信器における干渉低減を促進するための方法論例１３００のフロー・チャートを示す。１３０２では、ここに述べたように、方法１３００はＢＳのプリアンブル情報を取得するために無線信号の二以上のサイクルの異なる資源を走査することができる。資源は求められるＢＳの形式に少なくとも基づいて決定されることができる。１３０４では、方法１３００は再使用ＢＳのプリアンブルを取得するために無線信号の少なくとも一つの追加の時間フレームを走査することができる。１３０６では、方法１３００は特定の再使用ＢＳのプリアンブル・データについて時間フレームの周波数部分帯域を走査することができる。１３０８では、方法１３００はＢＳ ＩＤを特定の部分帯域と関連させることができる。例えば、そこではチャネル資源の再使用が最小プリアンブル衝突を促進するために計画される（例えば、そこではそのような部分帯域を採用する基地局より多くの周波数部分帯域が存在する）。１３１０では、方法１３００はランダム／擬似ランダム部分帯域再使用を採用してサービングＢＳのプリアンブルを確認するのを容易にするために時間フレームの全ての周波数部分帯域を走査することができる。１３１２では、方法１３００は部分帯域における（例えば、干渉に基づく）衝突を確認することができる。１３１４では、衝突情報はＲＬ伝送においてサービングＢＳに提供されることができる。１３１６では、多数の周波数部分帯域タイルはＢＳのプリアンブル・データと関連する共通タイルに適合するために構文解析されることができる。１３１８では、制御チャネル情報は適合された一以上の周波数部分帯域タイルから取出されることができる。
【０１０６】
図１４は半分計画されたまたは計画されていない異種のＢＳの信号管理に基づいて無線ＡＮにおいてＢＳの検出を提供するシステム例１４００のブロック図を示す。システム１４００は無線信号の信号資源のセットを確立するためのモジュール１４０２を含むことができる。当技術分野において知られているように、資源は無線信号の時間、周波数、及び／またはコード準拠の分割において区別できる。その上、システム１４００は捕捉パイロットを無線信号にスケジュールするために再使用を採用するためのモジュール１４０４を含むことができる。特に、再使用は、パイロットが信号の第一サイクルにおいて信号の第二サイクルと比較すると異なる信号資源にスケジュールされるように構成されることができる。いくつかの形態では、モジュール１４０４はまた特定の形式（例えば、アクセス形式、伝送電力、再使用形式）のＢＳについてリザーブされた信号資源を選択することができる。少なくとも一つのさらなる形態によると、モジュール１４０４はさらに異種の形式のＢＳに割付けられた少なくとも一つの信号資源を空白にすることができる。
【０１０７】
図１５は無線ＡＮにおけるＢＳの検出を容易にするシステム例１５００のブロック図を例示する。システム１５００は無線信号の信号資源のセットを確立するためのモジュール１５０２を含むことができる。図１４に関して上で述べたように、当技術分野において知られているように、資源は信号の時間、周波数及び／またはコード準拠の分割に区別できることがある。システム１５００はさらに制御チャネル情報を無線信号にスケジュールする際にランダム、擬似ランダムまたは学習による再使用を採用するためのモジュール１５０４を含むことができる。例えば、モジュール１５０４は、ランダムまたは擬似ランダム機能を採用して、制御チャネル情報をスケジュールする無線信号のさまざまな時間フレームおよび／または周波数部分帯域または異なるサイクルの複数タイル／タイル・グループを選択することができる。そのような方法で制御情報をスケジュールすることによって、持続的な制御チャネル衝突が異なるサイクルにわたって受信器で発生するであろうことはあまり有りえない。代りに、もしくはそれに加えて、学習による再使用は制御チャネル情報をスケジュールするために採用されることができる。そのような場合には、衝突フィードバック情報が衝突しているＢＳによって使用されるよりも無線信号の異なる資源において制御情報をスケジュールするためにモジュール１５０４によって利用される。従って、システム１５００は無線ネットワークにおいて受信デバイスにおける制御チャネル衝突を著しく緩和または回避することができ、そのようなデバイスのＢＳ検出の改善を促進する。
【０１０８】
図１６は主題開示の形態により無線通信環境においてＢＳを検出することができるサンプルシステム１６００のブロック図を示す。システム１６００は第一及び第二の時間サイクルを含む無線信号を取得するためのモジュール１６０２を含むことができる。システム１６００は、一つの代替形態では、第一時間サイクルの一つの時間フレームから、及び第二時間サイクルの異なる時間フレームから捕捉パイロットを取得するためのモジュール１６０４を含む。別の代替形態では、システム１６００は無線信号から制御チャネル情報を取得する際にランダム、擬似ランダムまたは学習による再使用機能を採用するためのモジュール１６０６を含む。どちらの代替形態でも、モジュール１６０４／１６０６はパイロット／制御情報を取得する際に伝送しているＢＳと比較すると異種の形式のＢＳに割付けられた時間フレームを無視することができる。従って、システム１６００は、ここに述べたように、ＢＳの特定の形式のためにリザーブされた信号資源を走査することができ、それによって異種の形式のＢＳからの干渉を低減もしくは回避する。
【０１０９】
上記で述べてきたことは要求された主題の形態の例を含む。勿論、要求された主題を述べる目的のために要素または方法論の全ての考えられる組合せを述べることはできないが、当業者は開示された主題の多くのさらなる組合せ及び置換が可能であることを認識している。従って、開示された主題は添付された請求項の精神及び範囲の中で収まる全てのそのような変更、修正、及び変形を含むことを意図している。さらに、用語「含む（includes）」、「持つ（has）」または「持つ（having）」は詳細な説明または請求項のいずれかで使用され、そのような用語は「含む（comprising）」が請求項においてトランジショナルワード(transitional word)として採用されるときに解釈されるように用語「含む（comprising）」と同様な方法で包括的であることを意図している。
【図１】
2014075806.tif 000003
【図２】
2014075806.tif 000004
【図３】
2014075806.tif 000005
【図４】
2014075806.tif 000006
【図５】
2014075806.tif 000007
【図６】
2014075806.tif 000008
【図７】
2014075806.tif 000009
【図８】
2014075806.tif 000010
【図９】
2014075806.tif 000011
【図１０】
2014075806.tif 000012
【図１１】
2014075806.tif 000013
【図１２】
2014075806.tif 000014
【図１３】
2014075806.tif 000015
【図１４】
2014075806.tif 000016
【図１５】
2014075806.tif 000017
【図１６】
2014075806.tif 000018
【手続補正書】
【提出日】平成25年12月5日(2013.12.5)
【手続補正１】
【補正対象書類名】特許請求の範囲
【補正対象項目名】全文
【補正方法】変更
【補正の内容】
【特許請求の範囲】
【請求項１】
無線信号の信号資源のセットを確立すること、及び
前記無線信号の信号資源の前記セット上で捕捉パイロットをスケジュールする際に、部分的な資源再使用を採用することであって、対応するＢＳが、マクロセルＢＳであるときに、前記対応するＢＳがフェムトセルまたはピコセルであるときに比べて異なる前記無線信号の信号資源に基づき前記捕捉パイロットはスケジュールされる、採用すること、
を含む無線アクセス・ネットワーク（ＡＮ）において基地局（ＢＳ）検出を可能にする方法。
【請求項２】
前記無線信号を伝送するＢＳとして異種のアクセス形式のＢＳ、
前記伝送するＢＳとして異種の伝送電力クラスのＢＳもしくは、
前記伝送するＢＳとして異なる再使用形式のＢＳの少なくとも一つについて前記無線信号の少なくとも一つの資源をリザーブすること、
をさらに含む請求項１記載の方法。
【請求項３】
部分的な資源再使用を採用することは、さらに信号資源の前記セットの部分的な時間、周波数またはタイル再使用を含み、タイルは、前記無線信号のＯＦＤＭシンボル、時間フレーム、周波数副搬送波またはコード準拠資源のサブセットにわたる直交周波数分割多重化（ＯＦＤＭ）副搬送波のサブセットである請求項１記載の方法。
【請求項４】
部分的な資源再使用を採用することはさらに計画された再使用、ランダム再使用、擬似ランダム再使用、時間変動による再使用、または学習による再使用、またはそれらの組合せを含む請求項１記載の方法。
【請求項５】
前記捕捉パイロットを伝送しているＢＳが中間または低電力ＢＳであるならば、前記無線信号の時間サイクルの二以上の資源において前記捕捉パイロットを伝送することをさらに含む請求項１記載の方法。
【請求項６】
前記無線信号の少なくとも一つの資源のために、時間−周波数タイルのセットを確立すること、ここで前記セットの各タイルは前記無線信号のＯＦＤＭシンボル、時間フレーム、周波数副搬送波またはコード準拠資源のサブセットにわたる１以上の周波数副搬送波を含む、及び
前記無線信号の制御チャネル情報をスケジュールする際に部分的なタイル再使用を前記副搬送波のサブセットに採用すること、
を含む請求項１記載の方法。
【請求項７】
制御チャネル情報を前記無線信号の共通インターレースのグループ化された時間サブスロットへとスケジュールすることをさらに含む請求項１記載の方法。
【請求項８】
前記無線信号を伝送するＢＳが全再使用ＢＳであるならば、前記無線信号の少なくとも一つの資源における前記捕捉パイロットの伝送を制限することをさらに含む請求項１記載の方法。
【請求項９】
無線信号を伝送する無線送受信器、及び
前記無線信号の信号資源のセットを確立し、且つ信号資源の前記セットを介して捕捉パイロットを送る際に部分的な資源再使用を採用する信号パーサであって、対応するＢＳが、マクロセルＢＳであるときに、前記対応するＢＳがフェムトセルまたはピコセルであるときに比べて異なる前記無線信号の信号資源に基づき前記捕捉パイロットはスケジュールされる、信号パーサ、
を含む無線ＡＮにおけるＢＳ検出を容易にする無線ＢＳ。
【請求項１０】
前記信号パーサは、
前記無線信号を伝送するＢＳとして異種のアクセス形式のＢＳ、
前記伝送するＢＳとして異種の伝送電力クラスのＢＳもしくは、
前記伝送するＢＳとして異なる再使用形式のＢＳ、
の少なくとも一つについて、前記無線信号の少なくとも一つの資源をリザーブする請求項９記載の無線ＢＳ。
【請求項１１】
前記信号パーサは前記無線信号を、時間資源のセット、周波数資源のセット、またはＯＦＤＭシンボル資源のセット、またはそのような資源の組合せにセグメント化し、そして前記捕捉パイロットを伝送する際に部分的な資源再使用を採用する請求項９記載の無線ＢＳ。
【請求項１２】
前記信号パーサは、前記資源再使用として、計画された再使用、ランダム再使用、擬似ランダム再使用、時間変動による再使用、または学習による再使用、またはそれらの組合せを採用する請求項９記載の無線ＢＳ。
【請求項１３】
前記無線信号を生成するＢＳが中間または低電力ＢＳであるならば、前記信号パーサは前記捕捉パイロットを前記無線信号の時間サイクルの二以上の資源において伝送する請求項９記載の無線ＢＳ。
【請求項１４】
前記無線信号の少なくとも一つの資源について周波数タイルのセットを確立するタイリングモジュールと、ここで前記セットの各タイルは前記無線信号の一以上のＯＦＤＭシンボルにわたって一以上の周波数副搬送波を含む、及び
前記無線信号の制御チャネル情報を副搬送波の部分集合にスケジュールする際に部分的なタイル再使用を採用する制御スケジュールモジュール、
を含む請求項９記載の無線ＢＳ。
【請求項１５】
制御情報の前記無線信号の共通インターレースの時間サブスロットをグループ化するタイミング分割モジュールをさらに含む請求項９記載の無線ＢＳ。
【請求項１６】
前記無線信号を伝送するＢＳが全再使用ＢＳであるならば、前記信号パーサは前記無線信号の少なくとも一つの資源における前記捕捉パイロットの伝送を制限する請求項９記載の無線ＢＳ。
【請求項１７】
無線信号の信号資源のセットを確立するための手段、及び
前記無線信号の信号資源の前記セット上で捕捉パイロットをスケジュールする際に部分的な資源再使用を採用するための手段であって、対応するＢＳが、マクロセルＢＳであるときに、前記対応するＢＳがフェムトセルまたはピコセルであるときに比べて異なる前記無線信号の信号資源に基づき前記捕捉パイロットはスケジュールされる、採用するための手段、
を具備する無線ＡＮにおけるＢＳ検出を可能にするための装置。
【手続補正２】
【補正対象書類名】明細書
【補正対象項目名】０１０９
【補正方法】変更
【補正の内容】
【０１０９】
上記で述べてきたことは要求された主題の形態の例を含む。勿論、要求された主題を述べる目的のために要素または方法論の全ての考えられる組合せを述べることはできないが、当業者は開示された主題の多くのさらなる組合せ及び置換が可能であることを認識している。従って、開示された主題は添付された請求項の精神及び範囲の中で収まる全てのそのような変更、修正、及び変形を含むことを意図している。さらに、用語「含む（includes）」、「持つ（has）」または「持つ（having）」は詳細な説明または請求項のいずれかで使用され、そのような用語は「含む（comprising）」が請求項においてトランジショナルワード(transitional word)として採用されるときに解釈されるように用語「含む（comprising）」と同様な方法で包括的であることを意図している。
以下に本件出願当初の特許請求の範囲に記載された発明を付記する。
［１］無線信号の信号資源のセットを確立すること、及び
前記無線信号の信号資源の前記セット上で捕捉パイロットをスケジュールする際に、部分的な資源再使用を採用すること、
を含む無線アクセス・ネットワーク（ＡＮ）において基地局（ＢＳ）検出を可能にする方法。
［２］前記無線信号を伝送するＢＳとして異種のアクセス形式のＢＳ、
前記伝送するＢＳとして異種の伝送電力クラスのＢＳもしくは、
前記伝送するＢＳとして異なる再使用形式のＢＳの少なくとも一つについて前記無線信号の少なくとも一つの資源をリザーブすること、
をさらに含む［１］記載の方法。
［３］部分的な資源再使用を採用することは、さらに信号資源の前記セットの部分的な時間、周波数またはタイル再使用を含み、タイルは、前記無線信号のＯＦＤＭシンボル、時間フレーム、周波数副搬送波またはコード準拠資源のサブセットにわたる直交周波数分割多重化（ＯＦＤＭ）副搬送波のサブセットである［１］記載の方法。
［４］部分的な資源再使用を採用することはさらに計画された再使用、ランダム再使用、擬似ランダム再使用、時間変動による再使用、または学習による再使用、またはそれらの組合せを含む［１］記載の方法。
［５］前記捕捉パイロットを伝送しているＢＳが中間または低電力ＢＳであるならば、前記無線信号の時間サイクルの二以上の資源において前記捕捉パイロットを伝送することをさらに含む［１］記載の方法。
［６］前記無線信号の少なくとも一つの資源のために、時間−周波数タイルのセットを確立すること、ここで前記セットの各タイルは前記無線信号のＯＦＤＭシンボル、時間フレーム、周波数副搬送波またはコード準拠資源のサブセットにわたる１以上の周波数副搬送波を含む、及び
前記無線信号の制御チャネル情報をスケジュールする際に部分的なタイル再使用を前記副搬送波のサブセットに採用すること、
を含む［１］記載の方法。
［７］制御チャネル情報を前記無線信号の共通インターレースのグループ化された時間サブスロットへとスケジュールすることをさらに含む［１］記載の方法。
［８］前記無線信号を伝送するＢＳが全再使用ＢＳであるならば、前記無線信号の少なくとも一つの資源における前記捕捉パイロットの伝送を制限することをさらに含む［１］記載の方法。
［９］無線信号を伝送する無線送受信器、及び
前記無線信号の信号資源のセットを確立し、且つ信号資源の前記セットを介して捕捉パイロットを送る際に部分的な資源再使用を採用する信号パーサ、
を含む無線ＡＮにおけるＢＳ検出を容易にする無線ＢＳ。
［１０］前記信号パーサは、
前記無線信号を伝送するＢＳとして異種のアクセス形式のＢＳ、
前記伝送するＢＳとして異種の伝送電力クラスのＢＳもしくは、
前記伝送するＢＳとして異なる再使用形式のＢＳ、
の少なくとも一つについて、前記無線信号の少なくとも一つの資源をリザーブする［９］記載の無線ＢＳ。
［１１］前記信号パーサは前記無線信号を、時間資源のセット、周波数資源のセット、またはＯＦＤＭシンボル資源のセット、またはそのような資源の組合せにセグメント化し、そして前記捕捉パイロットを伝送する際に部分的な資源再使用を採用する［９］記載の無線ＢＳ。
［１２］前記信号パーサは、前記資源再使用として、計画された再使用、ランダム再使用、擬似ランダム再使用、時間変動による再使用、または学習による再使用、またはそれらの組合せを採用する［９］記載の無線ＢＳ。
［１３］前記無線信号を生成するＢＳが中間または低電力ＢＳであるならば、前記信号パーサは前記捕捉パイロットを前記無線信号の時間サイクルの二以上の資源において伝送する［９］記載の無線ＢＳ。
［１４］前記無線信号の少なくとも一つの資源について周波数タイルのセットを確立するタイリングモジュールと、ここで前記セットの各タイルは前記無線信号の一以上のＯＦＤＭシンボルにわたって一以上の周波数副搬送波を含む、及び
前記無線信号の制御チャネル情報を副搬送波の部分集合にスケジュールする際に部分的なタイル再使用を採用する制御スケジュールモジュール、
を含む［９］記載の無線ＢＳ。
［１５］制御情報の前記無線信号の共通インターレースの時間サブスロットをグループ化するタイミング分割モジュールをさらに含む［９］記載の無線ＢＳ。
［１６］前記無線信号を伝送するＢＳが全再使用ＢＳであるならば、前記信号パーサは前記無線信号の少なくとも一つの資源における前記捕捉パイロットの伝送を制限する［９］記載の無線ＢＳ。
［１７］無線信号の信号資源のセットを確立するための手段、及び
前記無線信号の信号資源の前記セット上で捕捉パイロットをスケジュールする際に部分的な資源再使用を採用するための手段、
を具備する無線ＡＮにおけるＢＳ検出を可能にするための装置。
［１８］無線信号の信号資源のセットを確立する第一モジュール、及び
前記無線信号の信号資源の前記セット上で捕捉パイロットをスケジュールする際に部分的な資源再使用を採用する第二モジュール、
を含む、無線ＡＮにおけるＢＳ検出を可能にするために構成されたプロセッサー。
［１９］無線信号の信号資源のセットを確立し、
前記無線信号の信号資源の前記セット上で捕捉パイロットをスケジュールする際に部分的な資源再使用を採用すること
を少なくとも一つのコンピューターによって実行可能にするコンピューター可読命令を含むコンピューター可読媒体。
［２０］無線信号の信号資源のセットを確立すること、及び
前記無線信号上で制御チャネル情報をスケジュールする際に、ランダム、擬似ランダムまたは学習による再使用を採用すること、
を含む無線ＡＮにおけるＢＳ検出を可能にする方法。
［２１］前記無線信号を伝送するＢＳとして異種のアクセス形式のＢＳ、
前記伝送するＢＳとして異種の伝送電力クラスのＢＳもしくは、
前記伝送するＢＳとして異なる再使用形式のＢＳ、の少なくとも一つについて、前記無線信号の少なくとも一つをリザーブすること、をさらに含む［２０］記載の方法。
［２２］前記制御チャネル情報を含む信号資源に実質的に隣接する前記リザーブされた資源（１つまたは複数を含む）をスケジュールすることをさらに含む［２１］記載の方法。
［２３］前記ランダム、擬似ランダムまたは学習による再使用は部分的な時間再使用、部分的な周波数再使用、またはその組合せを制御チャネルスケジューリングのために採用し、タイルは前記無線信号のＯＦＤＭシンボルのサブセットにわたる副搬送波のサブセットを含む［２０］記載の方法。
［２４］前記ランダム、擬似ランダムまたは学習による再使用を促進するために、前記セットの少なくとも一つの資源を細分化することをさらに含む［２０］記載の方法。
［２５］前記無線信号を伝送するＢＳが中間または低電力ＢＳであるならば、資源の複数の前記セットにおける制御チャネル情報をスケジュールすることをさらに含む［２０］記載の方法。
［２６］捕捉パイロットを前記無線信号にスケジュールする際に部分的な時間または周波数再使用を採用することをさらに含む［２０］記載の方法。
［２７］前記無線信号の少なくとも一つの資源について周波数タイルのセットを確立すること、なお前記セットの各タイルは複数の副搬送波を含む、及び
前記無線信号の前記制御チャネル情報を副搬送波の部分集合にスケジュールする際にタイル再使用を採用すること、
をさらに含む［２０］記載の方法。
［２８］前記サブセットを形成するためタイルを前記セットから選択するためにランダム、擬似ランダムまたは時間変動機能を採用することをさらに含む［２７］記載の方法。
［２９］前記制御チャネル情報について前記無線信号の共通インターレースの複数の時間資源をグループ化することをさらに含む［２０］記載の方法。
［３０］前記グループ化された複数の時間資源の前に前記セットの時間資源における逆方向リンク（ＲＬ）割当情報をスケジュールすること、及び
前記グループ化された複数の時間資源の後に前記セットの時間資源においてＲＬ承認（ＡＣＫ）情報をスケジュールすること、
をさらに含む［２０］記載の方法。
［３１］無線信号を伝送する無線送受信器、及び
前記無線信号について信号資源のセットを確立し、そして制御チャネル情報を前記無線信号にスケジュールする際にランダム、擬似ランダムまたは学習による再使用を採用する信号パーサ、
を含む無線ＡＮにおけるＢＳ検出を可能にする無線ＢＳ。
［３２］前記信号パーサは、
前記無線信号を伝送するＢＳとして異種のアクセス形式のＢＳ、
前記伝送するＢＳとして異種の伝送電力クラスのＢＳもしくは、
前記伝送するＢＳとして異なる再使用形式のＢＳ、の少なくとも一つについて前記無線信号の少なくとも一つの資源をリザーブする［３１］記載の無線ＢＳ。
［３３］前記信号パーサは前記制御チャネル情報を含む信号資源に実質的に隣接するリザーブされた資源（１つまたは複数を含む）をスケジュールする［３１］記載の無線ＢＳ。
［３４］前記無線信号の二以上の時間スロットを提供するタイミング分割モジュールをさらに含み、前記信号パーサは複数の前記時間スロットにおける前記制御チャネル情報をスケジュールする［３１］記載の無線ＢＳ。
［３５］他の資源は、前記無線信号の少なくとも二つの時間スロットを含む［３１］記載の無線ＢＳ。
［３６］前記信号パーサは前記無線信号を時間のセットまたは周波数資源のセットにセグメント化し、そして前記制御チャネル情報をスケジュールする際に時間または周波数再使用を採用する［３１］記載の無線ＢＳ。
［３７］前記信号パーサは前記制御チャネル情報を、
信号資源の前記セットのサブセットの指定された部分帯域と、
前記サブセットのランダムまたは擬似ランダム部分帯域と、
前記サブセットの選択された資源と、前記選択された資源は、衝突フィードバックの少なくとも一部から決定された、隣接するＢＳからの低減された制御チャネル衝突を提供する、
へスケジュールする［３１］記載の無線ＢＳ。
［３８］同期化信号を前記無線信号にスケジュールする際に時間または周波数再使用を採用する同期化モジュールをさらに含む［３１］記載の無線ＢＳ。
［３９］前記無線信号の少なくとも一つの資源について周波数タイルのセットを確立するタイリングモジュール、前記セットの各タイルは、複数の副搬送波を含む、及び
前記無線信号の制御チャネル情報を前記副搬送波のサブセットにスケジュールする際にタイル再使用を採用する制御スケジュールモジュール、
をさらに含む［３１］記載の無線ＢＳ。
［４０］前記制御チャネル情報について前記無線信号の共通インターレースにおいて前記セットの二つの資源をグループ化するタイミング分割モジュールをさらに含む［３１］記載の無線ＢＳ。
［４１］信号パーサは、
前記グループ化された複数の時間資源の前に、前記セットの時間資源におけるＲＬ割当情報をスケジュールし、そして
前記グループ化された複数の時間資源の後に前記セットの時間資源におけるＲＬ ＡＣＫ情報をスケジュールする［３１］記載の無線ＢＳ。
［４２］無線信号について信号資源のセットを確立するための手段、及び
制御チャネル情報を前記無線信号にスケジュールする際にランダム、擬似ランダムまたは学習による再使用を採用するための手段、
を具備する無線ＡＮにおけるＢＳ検出を可能にするための装置。
［４３］無線信号について信号資源のセットを確立する第一モジュール、及び
制御チャネル情報を前記無線信号にスケジュールする際にランダム、擬似ランダムまたは学習による再使用を採用する第二モジュール、
を含む無線ＡＮにおけるＢＳ検出を可能にするために構成されたプロセッサー。
［４４］無線信号について信号資源のセットを確立し、及び
制御チャネル情報を前記無線信号にスケジュールする際にランダム、擬似ランダムまたは学習による再使用を採用すること、
を少なくとも一つのコンピューターによって実行可能にするコンピューター可読命令を含むコンピューター可読媒体。
［４５］少なくとも第一及び第二の時間サイクルを含む無線信号を取得すること、及び
前記第一時間サイクルの一つの資源から、そして前記第二時間サイクルの異なる資源から捕捉パイロットを取得すること、或いは
前記無線信号から制御チャネル情報を取得するためにランダム、擬似ランダムまたは学習による再使用を採用すること、の少なくとも一つを含む無線ＢＳを検出する方法。
［４６］異なる資源とは区別できる前記第二時間サイクルの資源から第二捕捉パイロットを取得することをさらに含み、前記捕捉パイロットは前記第一時間サイクルにおける前記第二捕捉パイロットの有効な干渉体である［４５］記載の方法。
［４７］前記第二捕捉パイロットから確認された基地局に接続することをさらに含む［４６］記載の方法。
［４８］前記確認された基地局に接続することは、
前記確認された基地局への初期アクセスと、
ＵＥ開始のハンドオフを前記確認された基地局に対して実施すること、或いは
そのような基地局のＩＤをサービング基地局へ報告することによって、前記確認された基地局へのネットワーク開始のハンドオフを容易にすること、の少なくとも一つをさらに含む［４７］記載の方法。
［４９］前記第二捕捉パイロットから確認された基地局と共に干渉回避を開始することをさらに含む［４６］記載の方法。
［５０］干渉回避を開始することは、
前記確認された基地局に前記第二捕捉パイロットの信号特性を提供することと、
そのような基地局をサービング基地局と接続するバックホールリンク上で少なくとも一部前記確認された基地局へ干渉回避メッセージを送ることと、
前記確認された基地局へ前記干渉回避メッセージＯＴＡを送ること、或いは
前記確認された基地局を前記サービング基地局へ報告すること、の少なくとも一つを含む［４９］記載の方法。
［５１］それぞれ、前記資源または前記異なる資源として前記第一または第二の時間サイクルの時間分割、周波数分割または符号分割、またはその組合せを採用することをさらに含む［４５］記載の方法。
［５２］中間から低電力送信器と、
高電力送信器と、
一般アクセス（ＧＡ）送信器、或いは
制限アクセス（ＲＡ）送信器、
において起源する前記第一または第二の時間サイクルの少なくとも一つの追加の時間フレームから前記捕捉パイロットを取得することをさらに含む［４５］記載の方法。
［５３］前記捕捉パイロットは前記少なくとも一つの追加の時間フレームの周波数部分帯域を走査することをさらに含む［５２］記載の方法。
［５４］前記捕捉パイロットを取得することは、
前記捕捉パイロットを確認し、且つ前記少なくとも一つの追加の時間フレームの特定の周波数部分帯域と関連させること、及び
前記捕捉パイロットについて前記無線信号の次の時間サイクルの前記特定の周波数部分帯域を走査すること、
をさらに含む［５３］記載の方法。
［５５］前記捕捉パイロットまたは制御チャネル情報を含む周波数部分帯域上の信号干渉を検出すること、及び
プリアンブル衝突が前記周波数部分帯域上で発生したことを示すＲＬ伝送を送ること、
をさらに含む［５３］記載の方法。
［５６］前記周波数部分帯域上の一以上の衝突しているＢＳのＩＤを確認すること、及び
前記確認されたＢＳ ＩＤ（１つまたは複数）をＲＬ伝送に含めること、
をさらに含む［５５］記載の方法。
［５７］前記捕捉パイロットを取得することはさらに前記少なくとも一つの追加の時間フレームの全ての周波数部分帯域を走査することを含む［５６］記載の方法。
［５８］前記無線信号の少なくとも一つの資源を多数の周波数副搬送波タイルに構文解析することをさらに含む［４５］記載の方法。
［５９］前記ランダムまたは擬似ランダム機能を採用することはさらに前記制御チャネル情報を搬送する二以上の前記周波数タイルを適合させることを含む［５８］記載の方法。
［６０］制御チャネル情報を前記適合された周波数タイルから取出すことをさらに含む［５９］記載の方法。
［６１］少なくとも第一及び第二の時間サイクルを含む無線信号を取得する無線アンテナと、
前記第一時間サイクルの一つの資源から、及び前記第二時間サイクルの異なる資源から捕捉パイロットを取得する、或いは
制御チャネル情報を前記無線信号から取得するためにランダム、擬似ランダムまたは学習による再使用機能を採用する、の少なくとも一つを行う受信プロセッサー、及び
前記受信プロセッサーに接続されたメモリー、
を具備する無線ＢＳの検出のために構成された装置。
［６２］前記受信プロセッサーは、
中間から低電力送信器、
高電力送信器、
ＧＡ送信器、或いは
ＲＡ送信器、
において起源する前記第一または第二の時間サイクルの少なくとも一つの追加の時間フレームから前記捕捉パイロットを取得する［６１］記載の装置。
［６３］前記受信プロセッサーは前記捕捉パイロットを取得する際に前記少なくとも一つの追加の資源の全ての周波数部分帯域を走査する［６２］記載の装置。
［６４］前記受信プロセッサーは前記捕捉パイロットを取得する際に前記少なくとも一つの追加の資源のネットワーク指定の周波数部分帯域を走査する［６２］記載の装置。
［６５］前記無線信号の周波数部分帯域から前記捕捉パイロットまたは制御チャネル情報をもたらすＢＳのＩＤ情報を取出すＩＤモジュール、及び
前記もたらされているＢＳを前記周波数部分帯域と関連させるＢＳ再使用モジュール、
をさらに具備し、前記受信プロセッサーは前記無線信号の次の時間サイクルの周波数部分帯域から次の捕捉パイロットを取得する［６１］記載の装置。
［６６］前記捕捉パイロットまたは制御チャネル情報を含む前記無線信号の周波数部分帯域上の信号干渉を検出する干渉モジュール、及び
プリアンブル衝突が前記周波数部分帯域上で発生したことを示すＲＬ伝送を開始する衝突報告モジュール、
をさらに具備する［６１］記載の装置。
［６７］前記周波数部分帯域上で一以上の衝突しているＢＳのＩＤを確認し、且つ前記ＲＬ伝送に含めるために前記衝突報告モジュールにＩＤ（１つまたは複数）を提供するＩＤモジュールをさらに具備する［６６］記載の装置。
［６８］前記無線信号の少なくとも一つの資源を多数の周波数副搬送波タイルに構文解析するタイリングモジュールをさらに具備する［６６］記載の装置。
［６９］前記タイリングモジュールは制御チャネル情報を搬送する二以上の前記周波数タイルを適合させる［６８］記載の装置。
［７０］前記受信プロセッサーは前記適合された周波数タイルから前記制御チャネル情報を取出す［６９］記載の装置。
［７１］前記無線アンテナは前記異なる資源とは区別できる前記第二時間サイクルの資源から第二捕捉パイロットを取得し、前記捕捉パイロットは前記第一時間サイクルにおける前記第二捕捉パイロットの有効な干渉体である［６１］記載の装置。
［７２］前記受信プロセッサーは前記第二捕捉パイロットから確認された基地局に接続する［７１］記載の装置。
［７３］前記受信プロセッサーは前記確認された基地局に、
初期アクセスを前記確認された基地局に実施することと、
前記確認された基地局にＵＥ開始のハンドオフを実施すること、或いは
そのような基地局のＩＤをサービング基地局に報告することによって前記確認された基地局へのネットワーク開始のハンドオフを促進すること、の少なくとも一つによって接続する［７２］記載の装置。
［７４］前記受信プロセッサーは前記第二捕捉パイロットから確認された基地局と共に干渉回避を開始する［７１］記載の装置。
［７５］前記受信プロセッサーは、
前記確認された基地局に前記第二捕捉パイロットの信号特性を提供すること、
そのような基地局をサービング基地局と接続するバックホールネットワーク上で少なくとも一部前記確認された基地局に干渉回避メッセージを送ること、
前記確認された基地局に前記干渉回避メッセージＯＴＡを送ること、或いは
前記確認された基地局を報告する前記サービング基地局へのメッセージを送ること、の少なくとも一つのためにアンテナを採用することによって干渉回避を開始する［７４］記載の装置。
［７６］前記一つの資源または前記異なる資源は、それぞれ、前記第一時間サイクルまたは第二時間サイクルの時間、周波数または符号分割、またはその組合せを含む［７１］記載の装置。
［７７］少なくとも第一及び第二の時間サイクルを含む無線信号を取得するための手段、及び
前記第一時間サイクルの一つの時間フレームから、及び前記第二時間サイクルの異なる時間フレームから捕捉パイロットを取得するための手段、または
前記無線信号から制御チャネル情報を取得するためにランダム、擬似ランダムまたは学習による再使用機能を採用するための手段、の少なくとも一つを具備する無線ＢＳを検出するための装置。
［７８］少なくとも第一及び第二の時間サイクルを含む無線信号を取得する第一モジュール、及び
前記第一時間サイクルの一つの時間フレームから、及び前記第二時間サイクルの異なる時間フレームから捕捉パイロットを取得する、または前記無線信号から制御チャネル情報を取得するためにランダム、擬似ランダムまたは学習による再使用機能を採用する、の少なくとも一つを行う第二モジュール、
を具備する無線ＢＳを検出するために構成された装置。
［７９］少なくとも第一及び第二の時間サイクルを含む無線信号を取得するために、および
前記第一時間サイクルの一つの時間フレームから、及び前記第二時間サイクルの異なる時間フレームから捕捉パイロットを取得する、または
前記無線信号から制御チャネル情報を取得するためにランダム、擬似ランダムまたは学習による再使用機能を採用する、の少なくとも一つを行うために、
少なくとも一つのコンピューターによって実行可能にするコンピューター可読命令を含むコンピューター可読媒体。
【外国語明細書】
2014075806000001.pdf